(57)【要約】【課題】  表示手段の大型化による障害を可及的に少なくすることで興趣が低下するのを抑制することのできる遊技機を提供する。【解決手段】  パチンコ機に、遊技者の操作によって遊技球が打ち込まれる遊技領域３７を介して遊技者から視認可能に配置され所定の演出画像を表示可能な演出表示装置２１１と、演出表示装置２１１の上方且つ遊技領域３７に配置され遊技球が入賞可能な大入賞口を有したアタッカ装置２３０と、アタッカ装置２３０の大入賞口に入賞した遊技球を、遊技状態制御に関わらないように演出表示装置２２１の後端面よりも前方側を通って演出表示装置２２１の下方へ流下させて排出する流通空間２２１とを具備させる。【選択図】        図１０
2011056303.tif 000002
【特許請求の範囲】
【請求項１】
遊技者の操作によって遊技媒体が打ち込まれる遊技領域と、
該遊技領域を介して遊技者から視認可能に配置され、図柄、キャラクタ、及び背景の少なくとも一つを用いた所定の演出画像を表示可能な表示手段と、
該表示手段の上方且つ前記遊技領域に配置され、遊技媒体が入賞可能な入賞口と、
該入賞口に入賞した遊技媒体を、遊技状態制御に関わらないように前記表示手段の後端面よりも前方側を通って該表示手段の下方へ流下させて排出する排出流路と
を具備するものであることを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチンコ機等の遊技機において、遊技球等の遊技媒体が打ち込まれる遊技領域を有した遊技盤に、図柄等の演出画像を表示可能な表示手段を設け、遊技領域内に配置された始動口へ遊技媒体を入賞（始動入賞）させることで抽選を行って、その抽選結果に応じて、表示手段に表示されている複数の図柄を変動表示させた後に停止表示させ、表示された図柄の組合せが所定条件を満たすと、内部に大入賞口を備えたアタッカ装置に所定の開閉動作をさせて、遊技者に有利な大当り遊技等の有利遊技状態を発生させるものが知られている（例えば、特許文献１、及び特許文献２）。
【０００３】
この種の遊技機では、演出画像として、図柄とは別にキャラクタを登場させ、そのキャラクタの動きによって、より多様な演出画像の表示を可能とし、抽選結果に応じて様々な演出画像を変動表示させることで、始動入賞による抽選結果への期待感をより高められるようにしたものもある。
【先行技術文献】
【特許文献】
【０００４】
【特許文献１】特開２００４−０５７６５５号公報
【特許文献２】特開２００４−１４７９００号公報
【発明の概要】
【発明が解決しようとする課題】
【０００５】
ところで、演出画像として表示手段に表示される図柄やキャラクタ等を、より見易くしたり、より興趣の高められるような複雑（繊細）な動きをさせるために、演出画像の表示領域を大きくすることが考えられる。つまり、より大型の表示手段を用いて演出画像を表示させることが考えられる。
【０００６】
しかしながら、従来の遊技機では、遊技領域の略中央に表示手段を配置すると共に、表示手段の下方にアタッカ装置を配置した形態としているので、表示手段が大型化するほど、遊技領域が狭くなると共に、表示手段の下方に配置されたアタッカ装置に遊技媒体を流下させ難くなると共に、アタッカ装置に遊技媒体が流下するようにすると、遊技媒体の挙動が単純化して飽きられ易くなり、興趣を低下させてしまう恐れがある。
【０００７】
これに対して、表示手段の上方にアタッカ装置を配置することが考えられるが、この場合、アタッカ装置の大入賞口に入賞した遊技媒体を、遊技領域に戻すこと無く遊技機から排出しなければならず、その排出流路を表示手段の後ろ側に形成すると、遊技機の前後方向の厚みが厚くなる問題がある。そして、表示手段をより大型のものとすると表示手段の厚みも厚くなり、その後ろ側に排出流路を形成すると更に厚みが厚くなるので、遊技機ホールの島設備に設置できなくなる恐れがあり、表示手段の大型化の障害となる問題がある。
【０００８】
そこで、本発明は、上記の実情に鑑み、表示手段の大型化による障害を可及的に少なくすることで興趣が低下するのを抑制することのできる遊技機の提供を課題とするものである。
【課題を解決するための手段】
【０００９】
手段１：遊技機において、
「遊技者の操作によって遊技媒体が打ち込まれる遊技領域と、
該遊技領域を介して遊技者から視認可能に配置され、図柄、キャラクタ、及び背景の少なくとも一つを用いた所定の演出画像を表示可能な表示手段と、
該表示手段の上方且つ前記遊技領域に配置され、遊技媒体が入賞可能な入賞口と、
該入賞口に入賞した遊技媒体を、遊技状態制御に関わらないように前記表示手段の後端面よりも前方側を通って該表示手段の下方へ流下させて排出する排出流路と
を具備する」ものであることを特徴とする。
【００１０】
ここで、「遊技領域を介して」とは、遊技機を正面視した時に、表示手段に表示された演出画像が遊技領域内と重なる位置に見えることである。
【００１１】
また、「図柄」とは、数字や記号、あるいはそれらと絵柄との組合わせ等からなる演出用の図柄である。また、「キャラクタ」とは、図柄列及び背景以外の画像を意味しており、小説・漫画・映画・演劇などの登場人物、動物、植物、又は小道具類、もしくはこの遊技機のために作成された仮想上の人物、動物、植物、又は小道具類等を例示することができる。
【００１２】
更に、「表示手段」としては、キャラクタ、背景、及び図柄等を用いた演出画像を表示可能なものであり、例えば、「液晶ディスプレイ（ＬＣＤ）」、「ＣＲＴ」、「ドットマトリックス」、「発光ダイオード（ＬＥＤ）」、「７セグメントＬＥＤ」、「エレクトロルミネセンス（ＥＬ）」、「蛍光表示管」、「白熱ランプ」、「プラズマディスプレイ（ＰＤＰ）」、「レーザーディスプレイ」、等が挙げられる。
【００１３】
また、「入賞口」とは、遊技媒体が受入れられることで所定数の遊技媒体が払い出されると共に、受入れられた遊技媒体が遊技領域に戻されることなく遊技機から排出されるものであり、例えば、「一般入賞口」、「始動入賞口」、「大入賞口」、「Ｖ入賞口」等が挙げられる。なお、入賞口への遊技媒体の受入確率が変化するようにした入賞口であっても良く、例えば、「一対の拡開可能な可動片を有したもの（例えば、電動チューリップ、アタッカ装置）」、「可動片や開閉部材等によって開状態又は閉状態となるもの（例えば、電動チューリップ、アタッカ装置）」、等が挙げられる。
【００１４】
更に、「排出流路」としては、表示手段の後端面よりも前方側を通るように形成されたものであれば良く、例えば、「表示手段の内部を遊技媒体が通るように形成されたもの」、「表示手段の前面側を遊技媒体が通るように形成したもの」、「表示手段の前面と、遊技領域を形成する遊技盤の前面との間を遊技媒体が通るように形成したもの」、「表示手段の前側、且つ、遊技盤の前面側を遊技媒体が通るようにしたもの」、「遊技領域に打設された障害釘の前側を遊技媒体が通るようにしたもの」、等が挙げられる。
【００１５】
また、「遊技状態制御に関わらない」とは、該当する遊技媒体の検出や、該当する遊技媒体によって変化する遊技状態の検出、に基づいて所定数の遊技媒体の払い出しを行う制御や、入賞によって遊技媒体の払い出しがある入賞口へ遊技媒体が入賞可能となるような遊技者に有利な有利遊技状態を発生させる制御等に関わらないことである。換言すると、該当する遊技媒体が、遊技媒体の払い出しに関する制御には関わらないことである。例えば、該当する遊技媒体を検出しても、その検出信号は遊技状態を制御する主基板には一切送らないようにしたものである。
【００１６】
ところで、表示手段の上方に入賞口を配置した場合、入賞口に入賞した遊技媒体を排出する排出流路を、表示手段の左右外側、且つ、遊技盤の裏側に配置することが考えられるが、この場合、該当する位置には従来より遊技媒体の払出手段（払出装置）や遊技を制御するための各種の制御基板等が配置されており、排出流路が設置可能なスペースが狭く、その位置に排出流路を設置すると流路が狭くなるので、遊技媒体が滞り易くなる恐れがある。特に、入賞口を大入賞口とした場合、短時間に大量の遊技媒体が入賞するので、排出流路が狭いと、遊技媒体が滞って球詰まりの原因となる恐れがある。
【００１７】
手段１の構成によると、所定の演出画像を表示可能な表示手段と、表示手段の上方に配置された入賞口と、入賞口に入賞した遊技媒体を表示手段の後端面よりも前方側を通って表示手段の下方に流下させて遊技機外に排出する排出流路とを備えたものである。
【００１８】
これにより、表示手段の上方に配置された入賞口に入賞した遊技媒体が、表示手段の後ろ側を通ることなく排出されるので、遊技機の厚みが厚くなるのを抑制することができ、而して、厚みの厚い大型の表示手段を用いても、遊技機の厚みが厚くなるのを抑制することができるので、演出画像の表示領域を広くすることが可能となり、演出画像に用いられる図柄やキャラクタ等を、より見易くしたり、より興趣の高められるような複雑（繊細）な動きをさせることができ、興趣が低下するのを抑制することができる。
【００１９】
また、表示手段の上方に入賞口を配置しており、遊技媒体が打ち込まれる遊技領域の上部に近いので、遊技媒体の打ち込み操作により入賞口を狙い易くなり、遊技媒体の打ち込み操作による興趣を高めることができると共に、表示手段を大型化しても従来の遊技機のように表示手段の下方に配置されていないので、遊技媒体の入賞口への入賞が表示手段の大きさに影響され難く、遊技媒体による興趣を低下させることなく表示手段を大型化することができる。
【００２０】
更に、入賞口に入賞した遊技媒体の排出流路を、表示手段の後端面よりも前方側に配置しているので、排出流路の幅を例えば、表示手段の幅と略同じ幅とすることが可能となり、排出流路の容積を大きくすることができ、排出流路内で遊技媒体が滞るのを防止して、排出流路内での球詰まりの発生を防止することができると共に、表示手段の上方に良好に入賞口を配置することができ、表示手段の大型化による障害を可及的に少なくすることができ、障害により興趣が低下するのを抑制することのできる。
【００２１】
なお、排出流路を流通する遊技媒体を遊技者から視認可能とするようにしても良く、これにより、従来の遊技機では見ることのできなかった入賞口に入賞した遊技媒体を見ることができるようになり、これまでにない遊技媒体の流れを見せることで、斬新な感覚を遊技者に与えて、興趣を高められる効果を期待することができる。
【００２２】
また、排出流路を流通する遊技媒体を遊技者から視認可能とした上で、排出流路内に所定規模の遊技媒体流通空間を備えると共に、遊技媒体流通空間内に複数の遊技媒体の流路を形成し、遊技媒体を夫々の流路に流通させることで、遊技媒体による動きの演出を遊技者に見せることができ、遊技者を楽しませることができる。特に、入賞口を有利遊技状態（大当り遊技）の時に入賞可能となる大入賞口等とした場合、大当り遊技中は大入賞口を狙った単調な遊技となるが、排出流路内の遊技媒体の動きの演出を楽しませることで、興趣が低下するのを抑制することができる。
【００２３】
更に、従来の遊技機では、入賞口に入賞した遊技媒体は単に排出されるだけであったが、排出流路内で、遊技者をハラハラ、ドキドキさせられるこれまでにない遊技媒体の動きによる演出を行うようにした場合、入賞口に入賞したことで以後の遊技状態制御に関わることのできなくなった遊技媒体（例えば、所謂死球）を用いて、遊技者の興趣を高めることができる。
【００２４】
手段２：手段１の構成において、
「前記排出流路を透過して前記表示手段に表示された演出画像が遊技者から視認可能とされている」ものであることを特徴とする。
【００２５】
ここで、「排出流路を透過して」とは、排出流路を透明な部材でその壁面を形成することで、後方に表示された演出画像が前方から視認することができるようにしたものである。
【００２６】
ところで、表示手段により表示される演出画像の前側に排出流路を配置した場合、その排出流路によって演出画像が遮られてしまい、せっかくの演出画像による演出を見せることができなくなる問題がある。そこで、排出流路を表示される演出画像の左右の何れか一方又は両方に配置することで、演出画像が前方から視認できるようにすることが考えられるが、この場合、排出流路の分だけ視認できる演出画像の視認領域が小さくなってしまうので、表示手段を大型化しても、演出画像の表示領域が大きくならず、大型化の意味をなさなくなる問題がある。
【００２７】
また、従来の遊技機では、表示手段の上方に打ち込まれた遊技媒体を、表示手段に表示された演出画像に、遊技媒体がかからないように、表示手段の左右を通って下方に流下させるようにしていた。そのため、表示手段の左右では、遊技領域や遊技媒体の流路が狭く、遊技媒体の動きそのものによって遊技者を楽しませることが困難となり、興趣を低下させてしまう恐れがあった。
【００２８】
手段２の構成によると、排出通路を透過して演出画像を前方から視認可能としたものである。これにより、表示手段における前側の全面に排出流路を形成しても、その排出流路が障害となって演出画像が視認できなくなるのを防止することができ、演出画像の表示による興趣を高められる効果が低下するのを抑制することができる。
【００２９】
また、排出流路を透過して演出画像を視認することができるので、排出流路によって演出画像が遮られることがなく、表示手段をより大型化して、より大きい表示領域で演出画像を表示させることが可能となり、よりインパクトの高い演出表示をすることができ、演出画像を楽しませて、興趣が低下するのを抑制することができる。
【００３０】
更に、演出画像の前方を、演出画像にかかるように遊技媒体が流通することとなるので、従来の遊技機では見られなかった、遊技媒体に演出画像が遮られるような演出を見せることができ、飽き難くして興趣が低下するのを防止することができる。また、排出流路内において流通する遊技媒体に、跳躍したり落下したりする等の種々の動きを付与させても良く、演出画像の前面で繰り広げられるこれまでにない遊技媒体の動きを楽しませて、興趣が低下するのを抑制することができる。
【００３１】
手段３：手段１又は手段２の構成において、
「前記入賞口に遊技媒体が入賞可能となる開状態、又は入賞不能となる閉状態の何れかの状態に開閉動作可能な開閉手段と、
前記遊技領域の前記入賞口とは異なる位置に配置され、遊技媒体を検出可能な遊技媒体検出手段と、
該遊技媒体検出手段による遊技媒体の検出に応じて所定の抽選結果を抽選する抽選手段と、
該抽選手段の前記抽選結果に応じて、遊技者に有利な有利遊技状態を発生させる有利遊技状態発生手段と、
該有利遊技状態発生手段による有利遊技状態の発生として、前記入賞口を閉鎖する前記開閉手段を、前記入賞口への遊技媒体の入賞が可能となるように、所定の開閉動作をさせる開閉制御手段と
を更に具備する」ものであることを特徴とする。
【００３２】
ここで、「開閉手段」としては、「一対の可動片を有し、互いの可動片の先端を離反させることで開状態となり、接近させることで閉状態となるもの（例えば、電動チューリップ）」、「一端を支点として回動可能な一つの可動片や開閉部材からなり、回動させることで入賞口が開状態となったり、閉状態となったりするもの（例えば、アタッカ装置）」、等が挙げられる。
【００３３】
また、「遊技媒体検出手段」としては、「遊技領域内の所定領域を通過する遊技媒体を検出するもの（例えば、ゲート）」、「所定の受入口に受入れられた遊技媒体を検出するもの（例えば、始動口）」、等が挙げられる。なお、所定の受入口に受入れられた遊技媒体を、遊技領域に戻しても良いし、戻さずに遊技機より排出しても良い。また、遊技媒体検出手段の検出に応じて、所定数の遊技媒体を払い出すようにしても良いし、払い出さないようにしても良い。
【００３４】
また、「有利遊技状態」とは、通常の遊技状態よりも遊技者に有利となる状態を意味するものであり、以下のような種々の状態を例示できる。
【００３５】
（１）パチンコ機等の遊技機において、開閉駆動される進入口（入賞口）を、所定回数繰返し開閉させたり、所定時間、あるいは遊技球が所定個数入賞するまで継続して開放させたりして、遊技媒体（遊技球）が多量に進入口に進入し易くした状態（所謂「大当り状態」）。
【００３６】
（２）パチンコ等の遊技機において、大当りに関する抽選の当選確率を通常よりも高確率として、大当り状態が発生する確率を通常よりも高確率とした状態、所謂「確率変動状態」。
【００３７】
（３）パチンコ機等の遊技機において、遊技媒体の進入（入賞）や通過により大当り状態を発生させるか否かの抽選を行う抽選用の抽選始動装置を、通常よりも遊技媒体が進入し易い状態とし、大当りの抽選が通常よりも頻繁に行われるようにした状態、所謂「時間短縮状態」。
【００３８】
（４）パチスロ機等の遊技機において、所定ゲームの間、遊技媒体であるメダルの払出しを行う態様にてリールが停止され易くした状態、所謂「ボーナスゲーム状態」。
【００３９】
（５）パチスロ機等の遊技機において、次回以降のゲーム状態をボーナスゲーム状態にさせるための条件であるボーナス図柄にてリールを停止可能とした状態、所謂「ボーナス成立状態」。
【００４０】
（６）パチスロ機等の遊技機において、所定ゲーム数の間、役を成立させるためのリールの停止順序や図柄を案内する等して、役の成立を手助けする状態、所謂「アシストゲーム状態」。
【００４１】
（７）パチスロ機等の遊技機において、ボーナスゲーム状態、ボーナス成立状態、アシストゲーム状態等の特典状態が発生する確率を通常よりも高確率とした状態、所謂「確率変動状態」。
【００４２】
また、表示手段の上方に配置する入賞口として、一般入賞口のような、常時遊技媒体の入賞が可能となっているような入賞口とした場合、入賞口に入賞した遊技媒体が演出画像の前面を通るようなこれまでにない遊技媒体の動きが見れる機会が多くなり、遊技者によっては、見慣れてしまうことで初期のインパクトが薄れて飽きてしまい、興趣を低下させてしまう恐れがある。
【００４３】
更に、表示手段の上方に配置する入賞口が一般入賞口のようなものの場合、入賞口に入賞した遊技媒体は遊技領域に戻されることがないので、入賞口に入ってしまえば、その遊技媒体の関心がなくなり、他の遊技媒体へと関心が移るので、排出流路内の遊技媒体に種々の動きを付与して、その動きによる演出を行っても、関心が薄く演出による効果が期待できなくなる恐れがある。
【００４４】
手段３の構成によると、入賞口を開閉する開閉手段と、遊技領域の所定位置の遊技媒体を検出する遊技媒体検出手段と、遊技媒体検出手段の検出によって所定の抽選結果を抽選する抽選手段と、抽選手段の抽選結果に応じて有利遊技状態を発生させる有利遊技状態発生手段と、有利遊技状態の発生として開閉手段に所定の開閉動作をさせる開閉制御手段とを備えたものである。
【００４５】
つまり、遊技領域に配置された始動口で遊技媒体が検出されると、所定の抽選結果が抽選され、その抽選結果（例えば「大当り」や「短当り」等の「当り」、「小当り」）に応じて、入賞口（例えば、大入賞口）に遊技媒体が入賞可能となるように、開閉手段に所定の開閉動作をさせるようにしたものである。
【００４６】
これにより、表示手段の上方に配置した入賞口を大入賞口としているので、「大当り」等が抽選されて有利遊技状態となると、短時間に多くの遊技媒体が入賞口（大入賞口）に入賞させられることとなるが、排出流路が表示手段の後端面よりも前方側に配置されているので、排出流路の幅を例えば、表示手段の幅と略同じ幅とすることが可能となり、排出流路の容積を大きくすることができ、大量の遊技媒体が排出流路を流通しても、排出流路内で遊技媒体が滞るのを防止することが可能となり、排出流路内での球詰まりの発生を防止することができ、良好に有利遊技状態を楽しませることができる。
【００４７】
また、所定の抽選結果が抽選されると、入賞口への遊技媒体の入賞が可能となるので、「大当り」等の所定の抽選結果が抽選されなければ、入賞口へ遊技媒体を入賞させることができず、演出画像の前面の排出流路内を流通する遊技媒体の動きが見れる機会を限定することができ、見慣れてしまうの防止することで飽き難くして興趣が低下するのを抑制することができる。
【００４８】
また、有利遊技状態の時にしか、排出流路内に遊技媒体が流通しないので、排出流路内を流通する遊技媒体が見られる価値を高めることができると共に、排出流路内を遊技媒体が流通することで有利遊技状態が発生していることを確実に認識させることができ、より興趣の高められるものとすることができる。
【００４９】
更に、有利遊技状態中は遊技者の打ち込み操作が入賞口（大入賞口）のみを狙う単純な操作となるので、遊技に対して余裕が生まれ、排出流路内での遊技媒体の動きにも興味を抱かせることが可能となることから、排出流路内で遊技媒体に種々の動きによる演出を付与することで、排出流路内の遊技媒体に注目させると共に、その動きによる演出によって遊技者を楽しませて、興趣を高められるようにすることができる。
【００５０】
手段４：手段３の構成において、
「前記抽選手段の前記抽選結果に応じて、前記表示手段に表示された演出画像を変動表示させた後に、前記抽選結果を示唆するような演出画像に停止表示させる演出表示制御手段を更に具備する」ものであることを特徴とする。
【００５１】
手段４の構成によると、抽選手段によって所定の抽選結果が抽選されると、演出画像を変動表示させると共に、抽選結果を示唆する演出画像を停止表示させる演出表示制御手段を更に備えたものである。
【００５２】
これにより、抽選の際に図柄等の演出画像が変動表示されることで、所望の抽選結果が表示されるか否かで、抽選結果に対する期待感を高めることができ、興趣を高められるものとすることができると共に、表示手段による演出を従来の遊技機と同様のものとすることで、従来の遊技機に慣れた遊技者に違和感を与えるのを防止して、楽しめる遊技機とすることができる。
【００５３】
手段５：手段１から手段４までの何れか一つの構成において、
「前記排出流路は、
前記表示手段に表示された演出画像、及び遊技者から内部を流通する遊技媒体が視認可能とされた所定規模の空間を有した遊技媒体流通空間と、
該遊技媒体流通空間内の遊技媒体を排出するために受入可能とされた複数の受入口と、
複数の該受入口の何れかに、前記入賞口に入賞して前記遊技媒体流通空間内に進入した遊技媒体が受入れられるように遊技媒体を振り分ける振分手段と
を更に具備する」ものであることを特徴とする。
【００５４】
ここで、「遊技媒体流通空間」とは、上下左右、及び前後に遊技媒体が流通可能な空間で、その内部に遊技媒体を少なくとも１秒以上滞在させることのできる規模（容積）の空間である。なお、遊技媒体流通空間内には、遊技媒体が流通可能な「流路」を複数備えていても良く、その「流路」としては、「遊技媒体を、上から下へ流下させるもの」、「遊技媒体を、高反発性部材に反発させて、上方向や左右方向に流通させるもの」、「遊技媒体を、定反発性部材に落下させるもの」、「可動役物（振分装置を含む）により遊技媒体の移動方向が変化するもの」、等が挙げられる。
【００５５】
また、「振分手段」としては、「可動部材の可動によって遊技媒体の流路を切り替えることで遊技媒体を振り分けるもの」、「複数の振分孔を有し、それら振分孔の配置構造等により確率的に何れかの振分孔に遊技媒体を振り分けるもの」、等が挙げられる。なお、受入口への振り分けとしては、「各受入口に対応した流路に振り分けるもの」、「各受入口に受入れられる割合が異なる複数の流路の何れかに振り分けるもの」、等が挙げられる。
【００５６】
手段５の構成によると、排出流路に、内部の遊技媒体を視認可能な所定規模の遊技媒体流通空間と、遊技媒体流通空間内の遊技媒体を排出するための複数の受入口と、何れかの受入口に遊技媒体を振り分ける振分手段とを備えたものである。
【００５７】
これにより、入賞口に入賞した遊技媒体が、排出流路の遊技媒体流通空間内で、振分手段によって複数の受入口の何れかに振り分けられるような、遊技媒体による演出を遊技者に見せることができ、何れの受入口に遊技媒体が振り分けられるかで、遊技者を楽しませて、興趣が低下するのを抑制することができる。
【００５８】
なお、振分手段によって振り分けられた遊技媒体が何れかの受入口に受入れられるまでの間に、例えば、跳躍したり落下したり、或いは、横行したり揺動したりするような動きを付加させるようにしても良く、これにより、遊技媒体の動きによる演出をすることができ、より遊技者を楽しませて、興趣の高められるものとすることができる。
【００５９】
手段６：手段５の構成において、
「前記排出流路は、
前記振分手段の下流且つ複数の前記受入口の上流に配置され、前記入賞口に入賞した遊技媒体に、無動力で所定の運動エネルギーを付与する運動エネルギー付与手段と、
該運動エネルギー付与手段により運動エネルギーを付与された遊技媒体を、高反発性部材での反発、又は水平方向よりも上方向に転動、の何れかにより跳躍させる跳躍手段と、
該跳躍手段により跳躍された遊技媒体、又は前記運動エネルギー付与手段により運動エネルギーを付与された遊技媒体を、運動エネルギー減衰手段としての低反発性部材の物理的な変形により運動エネルギーを減衰させて捕捉すると共に、捕捉された遊技媒体を左右前後方向に転動可能な転動面を有し、該転動面上に前記第一受入口が開口する捕捉手段と、
前記運動エネルギー付与手段により付与可能な運動エネルギーを調節可能とされ、前記運動エネルギー減衰手段を備えた傾斜面と、該傾斜面に供給された遊技媒体を下方へ流出させる流出部とを備えた付与エネルギー調節手段と、
前記捕捉手段を挟んで少なくとも二つの前記跳躍手段を配置し、遊技媒体が前記捕捉手段に対し一方側の前記跳躍手段から前記捕捉手段を飛び越すように他方側の前記跳躍手段まで跳躍し更に他方側の該跳躍手段から跳躍して前記捕捉手段に至る第一跳躍流路と、
該第一跳躍流路とは異なり、遊技媒体が前記付与エネルギー調節手段を介し前記捕捉手段に対して一方側又は他方側の何れかの前記跳躍手段から前記捕捉手段を飛び越さずに直接捕捉されるように跳躍して該捕捉手段に至る第二跳躍流路と、
前記第一跳躍流路、及び前記第二跳躍流路とは異なり、遊技媒体が前記跳躍手段を介さずに前記捕捉手段に至る特別流路と
を更に具備する」ものであることを特徴とする。
【００６０】
ここで、「運動エネルギー付与手段」としては、「遊技媒体を落下させることで重力により運動エネルギーを付与するもの」、が挙げられ、具体的には、「遊技媒体を真下に放出して自由落下により運動エネルギーを付与するもの」、「遊技媒体に水平方向の初速度を与えた上で自由落下させて運動エネルギーを付与するもの」、「接触させた状態で遊技媒体を誘導する誘導手段によって下方に誘導することで運動エネルギーを付与するもの」、等が挙げられる。
【００６１】
また、「跳躍」とは、遊技媒体が飛び跳ねることであり、跳躍中の遊技媒体は、他の部材と無接触状態であり、「跳躍手段」としては、遊技媒体自身の運動エネルギーにより跳躍させることのできるものであれば良く、例えば、「遊技媒体の移動方向を水平方向以上の方向に接触誘導させることで跳躍させるもの（例えば、ジャンプ台状のもの）」、「高反発性部材で反発させることで跳躍させるもの」、等が挙げられる。
【００６２】
更に、「運動エネルギー減衰手段」としては、構成する部材が塑性変形や弾性変形等の物理的な変形をすることで運動エネルギーを減衰させるものであれば良く、「低反発性部材を用いたもの」、「繊維材からなり網状、織布状、又は不織布状に形成されたもの」、「有機、無機、金属等からなり繊維状又は線状に形成された素材を起毛状にしたもの」、等が挙げられる。
【００６３】
ところで、従来の遊技機では、遊技領域内には複数の障害釘が打設されているので、その障害釘に遊技媒体が当接することで、遊技媒体が種々の方向に移動し、その当接する向きによっては、遊技媒体が上方に跳ね返ることもあるが、障害釘との当接では、小刻みな動きしか遊技媒体に付与させることができず、遊技媒体に大きな動きを付与して、遊技者に注目させて興趣を高めさせることが困難であった。
【００６４】
また、遊技領域中にゴムやバネ等の弾性部材を配置して、その弾性部材の反発により遊技媒体に大きな動きを付与させた上で、その反発先に遊技媒体の受入口を配置することで、遊技媒体の動きに注目させて興趣の高められるものとすることが考えられる。しかしながら、この場合、遊技領域内に配置された弾性部材に当接させることで、受入れられる機会が高くなるので、弾性部材を狙った遊技となり、単調な遊技となってしまい飽き易くなり興趣を低下させてしまう恐れがあった。
【００６５】
更に、例えば、遊技媒体を上下方向や左右方向に、大きく移動させたり、速く移動させたりすることで、遊技媒体に注目させることが考えられが、遊技媒体を大きく又は速く移動させた場合、移動後の遊技媒体には大きな運動エネルギーが蓄積されることとなり、移動先で障害釘や役物等と当接すると、遊技媒体が大きく弾かれて意図しない動きをしてしまい、想定した遊技をさせることが困難となる恐れがあった。
【００６６】
また、遊技媒体を自身の運動エネルギーにより跳躍させる場合、遊技媒体の有する運動エネルギー量によっては、跳躍する距離や高さが変化し、所望の位置まで跳躍しなかったり、跳躍しすぎたりして、遊技媒体に意図した動きをさせることが困難となり、却って興趣を低下させてしまう恐れがある。具体的には、例えば、遊技媒体が役物内に進入した時点での運動エネルギーも含めて跳躍させるようにした場合、役物外に打設された障害釘等との当接具合によっては、役物内に進入する時点での遊技媒体の運動エネルギーが区々なものとなり、充分に跳躍させることができなくなる恐れがあった。
【００６７】
また、遊技媒体を捕捉する際に、遊技媒体の持つ運動エネルギーにより遊技媒体が弾んだり跳ねたりして確実に捕捉することができない恐れがあり、この捕捉手段として、遊技媒体を挟んだり掴んだりするものの場合、遊技媒体を把持するための機構が必要となり、構成が複雑化する問題がある。更に、遊技媒体を捕捉する際にその運動エネルギーを維持した状態で捕捉した場合、つまり、捕捉した遊技媒体に未だに勢い（運動エネルギー）を有している場合、捕捉した遊技媒体の運動エネルギーによって、遊技媒体を案内手段に確実に供給できなかったり、案内手段の案内から外れてしまったりする恐れがある。
【００６８】
更に、従来の遊技機では、入賞口に入賞した遊技媒体は、入賞口から遊技盤の裏側と導かれた後に遊技機外へ排出され、遊技者からは見えないようになっており、入賞口に入賞した遊技媒体により、遊技者の興趣を高めることはできなかった。
【００６９】
また、従来の遊技機では、表示手段を大型化すると、表示手段によって遊技媒体が流通可能な遊技領域が狭くなり、遊技媒体に大きな動きをさせようとしても、そのスペースを確保することができず、表示手段の大型化により、遊技媒体の動きによる楽しみが減少する問題がある。
【００７０】
手段６の構成によると、排出流路の遊技媒体流通空間内に、大入賞口から進入した遊技媒体に所定の運動エネルギーを付与する運動エネルギー付与手段と、運動エネルギーを付与された遊技媒体を跳躍させる跳躍手段と、跳躍した又は運動エネルギーが付与された遊技媒体を捕捉可能とされその運動エネルギーを減衰させる運動エネルギー減衰手段を有し、転動面に第一受入口が開口した捕捉手段と、運動エネルギー付与手段により付与する運動エネルギーを調節する付与エネルギー調節手段と、捕捉手段を挟んで少なくとも二つの跳躍手段が配置され、一方の跳躍手段により跳躍することで捕捉手段を飛び越してから他方の跳躍手段で再度跳躍して捕捉手段に捕捉される第一跳躍流路と、捕捉手段を飛び越さずに何れかの跳躍手段で跳躍して捕捉手段に捕捉される第二跳躍流路と、及び跳躍手段では跳躍せずに捕捉手段に捕捉される特別流路とを更に備えたものである。
【００７１】
これにより、遊技媒体が入賞口に入賞すると、排出流路の遊技媒体流通空間内に進入し、振分手段によって何れかの流路に振り分けられる。つまり、運動エネルギー付与手段によって運動エネルギーの付与された遊技媒体が、一方の跳躍手段による跳躍で第一受入口を有した捕捉手段を飛び越してから他方の跳躍手段で再度跳躍して捕捉手段の運動エネルギー減衰手段によって捕捉される第一跳躍流路、遊技媒体が捕捉手段を飛び越さずに跳躍手段で跳躍して捕捉手段の運動エネルギー減衰手段によって捕捉される第二跳躍流路、及び跳躍手段では跳躍せずに捕捉手段の運動エネルギー捕捉手段によって捕捉される特別流路の何れかの流路に振分手段によって振り分けられるので、遊技媒体が何れの流路に振り分けられても、跳躍したり落下したりするこれまでにない躍動感に溢れたダイナミックな動きを見せることができ、入賞口への入賞により遊技領域に戻されることなく排出される遊技媒体でも、遊技者を充分に楽しませることが可能となり、興趣の高められるものとすることができる。
【００７２】
詳しくは、入賞口に入賞した遊技媒体が、第一跳躍流路に誘導されると、初めに遊技媒体を捕捉し損ねたように思わせてから捕捉するので、遊技者をよりハラハラ、ドキドキさせることが可能となり、一喜一憂させて興趣がより高められるようにすることができる。また、第二跳躍流路に誘導されると、付与エネルギー調節手段において一旦遊技媒体の動きが遅くなってから跳躍するので緩急に富んだ動きとなり興趣が低下するのを抑制することができる。更に、特別流路に誘導されると、遊技媒体が跳躍せずに直接捕捉手段に捕捉され、これまでにない大きな動きをして、遊技者を驚かせて、より興趣の高められるようにすることができる。
【００７３】
また、排出流路が表示手段の後端面よりも前方側に配置されているので、表示手段を大型化するほど遊技媒体流通空間の容積を大きくすることができ、上述のような複数の流路を遊技媒体流通空間内に形成することができ、遊技媒体の動きによる演出を楽しませることができる。
【００７４】
手段７：手段６の構成において、
「複数の前記受入口が、少なくとも、遊技媒体の受入れが遊技者に注目され易くした第一受入口、及び該第一受入口に受入れられなかった遊技媒体を受入れる第二受入口を有し、
遊技者の操作によって変化する遊技状態を検出する遊技状態検出手段と、
該遊技状態検出手段により検出された遊技状態に応じて、前記第一跳躍流路、前記第二跳躍流路、及び前記特別流路のうち、遊技媒体が最も前記第一受入口に受入れられる割合が高くされた流路に、遊技媒体が振り分けられるように前記振分手段を制御する振分制御手段と
を更に具備する」ものであることを特徴とする。
【００７５】
ここで、「注目され易くした第一受入口」とは、「遊技媒体流通空間内に所定広さの遊技媒体転動面を設け、その転動面上に第一受入口を設けたもの（例えば、ゴルフ場をイメージした場合、転動面をグリーンとして第一受入口をグリーン上のカップに見立てたもの）」、「第一受入口を目立つ位置に配置したもの」、「第一受入口の周りに発光手段を備え、それを発光させることで第一受入口を目立つようにしたもの」、等が挙げられる。
【００７６】
また、「遊技状態検出手段」としては、「遊技領域内の所定領域を流通する遊技媒体を検出するもの」、「遊技領域内の始動口や入賞口等の受入口に受入れられた遊技媒体を検出するもの」、「可動片や回転体等の可動役物の可動状態を検出するもの」、「表示手段による演出画像の演出内容や表示状態を検出するもの」、「遊技媒体の遊技領域への打ち込み状態を検出するもの」、「抽選結果を検出するもの」、等が挙げられる。
【００７７】
手段７の構成によれば、受入口を、遊技媒体の受入れが遊技者に注目され易くした第一受入口と、第一受入口に受入れられなかった遊技媒体を受入れる第二受入口とし、遊技状態検出手段によって検出された遊技状態に応じて、第一跳躍流路、第二跳躍流路、及び特別流路のうち、第一受入口に遊技媒体が受入れられる割合が最も高くされた流路に、振分制御手段の制御により、入賞口に入賞した遊技媒体を振分手段によって振り分けるようにしたものである。
【００７８】
これにより、遊技状態に応じて、入賞口に入賞した遊技媒体が、第一受入口に受入れられる割合が高くなるので、例えば、遊技状態として抽選結果が、「当り」を抽選する抽選確率を通常時の確率よりも高確率に変更する「確変大当り」や「確変小当り」の時に、第一受入口に受入れられるようにした場合、あたかも遊技媒体が第一受入口に受入れられたことで、抽選確率が高確率に変更されるように見せることができ、従来の遊技機のような演出画像を用いた確率を変更させる演出表示とは全く異なるものとすることができ、遊技者に斬新な感覚を与えて、より興趣の高められるものとすることができる。
【００７９】
また、例えば、「大当り」が抽選されて有利遊技状態が発生する際に、表示手段に表示される有利遊技状態の継続回数（ラウンド数）が実際の継続回数よりも少ない継続回数が表示された時に、入賞口に入賞した遊技媒体が振分手段の振り分けにより第一受入口に受入れられるようにした後に、継続回数の表示を実際の継続回数とするようにした場合、従来の遊技機ような継続回数を増加させる演出を演出画像の演出表示で行うものと比較して、あたかも遊技媒体が第一受入口に受入れられたことで、継続回数が増加したように見せることができ、内部的な処理ではなく遊技媒体の打ち込み操作によって得られたような気分にさせることが可能となり、より興趣が高められるのを期待することができる。
【００８０】
また、排出流路の遊技媒体流通空間内に進入した遊技媒体が、遊技状態に応じて第一受入口に振り分けられるか否かで、遊技者をワクワク、ドキドキさせることができ、より遊技者の興趣を高められる効果を期待することができると共に、遊技媒体流通空間内での遊技媒体の動きを楽しませることができ、興趣が低下するのを抑制することができる。
【００８１】
更に、振分手段によって、第一跳躍流路、第二跳躍流路、及び特別流路の何れかの流路に遊技媒体が振り分けられるので、何れの流路に振り分けられるかで、遊技者をワクワク、ドキドキさせることができると共に、所定の遊技状態となると、遊技媒体が第一受入口に受入れられる割合の最も高い流路に振り分けられるので、その遊技状態となった時に、該当する流路に振り分けられるか否かによっても、期待感を持たせることができ、興趣を高められるものとすることができる。
【００８２】
手段８：遊技機において、
「遊技者の操作によって遊技媒体が打ち込まれる遊技領域と、
該遊技領域を介して遊技者から視認可能に配置され、図柄、キャラクタ、及び背景の少なくとも一つを用いた所定の演出画像を表示可能な表示手段と、
該表示手段の上方且つ前記遊技領域に配置され、遊技媒体が入賞可能な入賞口と、
該入賞口に遊技媒体が入賞可能となる開状態、又は入賞不能となる閉状態の何れかの状態に開閉動作可能な開閉手段と、
前記遊技領域の前記入賞口とは異なる位置に配置され、遊技媒体を検出可能な遊技媒体検出手段と、
該遊技媒体検出手段による遊技媒体の検出に応じて所定の抽選結果を抽選する抽選手段と、
該抽選手段の前記抽選結果に応じて、遊技者に有利な有利遊技状態を発生させる有利遊技状態発生手段と、
該有利遊技状態発生手段による有利遊技状態の発生として、前記入賞口を閉鎖する前記開閉手段を、前記入賞口への遊技媒体の入賞が可能となるように、所定の開閉動作をさせる開閉制御手段と、
該開閉制御手段によって前記開閉手段が開状態とされた時に前記入賞口に入賞した遊技媒体を遊技状態制御に関わらないように前記表示手段の後端面よりも前方側を通って該表示手段の下方へ流下させて排出可能とされ、
前記表示手段に表示された演出画像、及び遊技者から内部を流通する遊技媒体が視認可能とされた所定規模の空間を有した遊技媒体流通空間、
該遊技媒体流通空間内の遊技媒体を遊技状態制御に関わらないように排出するために受入可能とされ、遊技媒体の受入れが遊技者に注目され易くした第一受入口、及び該第一受入口に受入れられなかった遊技媒体を受入れる第二受入口、
前記第一受入口及び前記第二受入口の上流に配置され、前記入賞口に入賞した遊技媒体に、無動力で所定の運動エネルギーを付与する運動エネルギー付与手段、
該運動エネルギー付与手段により運動エネルギーを付与された遊技媒体を、高反発性部材での反発、又は水平方向よりも上方向に転動、の何れかにより跳躍させる跳躍手段、
該跳躍手段により跳躍された遊技媒体、又は前記運動エネルギー付与手段により運動エネルギーを付与された遊技媒体を、運動エネルギー減衰手段としての低反発性部材の物理的な変形により運動エネルギーを減衰させて捕捉すると共に、捕捉された遊技媒体を左右前後方向に転動可能な転動面を有し、該転動面上に前記第一受入口が開口する捕捉手段、
前記運動エネルギー付与手段により付与可能な運動エネルギーを調節可能とされ、前記運動エネルギー減衰手段を備えた傾斜面と、該傾斜面に供給された遊技媒体を下方へ流出させる流出部とを備えた付与エネルギー調節手段、
前記捕捉手段を挟んで少なくとも二つの前記跳躍手段を配置し、遊技媒体が前記捕捉手段に対し一方側の前記跳躍手段から前記捕捉手段を飛び越すように他方側の前記跳躍手段まで跳躍し更に他方側の該跳躍手段から跳躍して前記捕捉手段に至る第一跳躍流路、
該第一跳躍流路とは異なり、遊技媒体が前記付与エネルギー調節手段を介し前記捕捉手段に対して一方側又は他方側の何れかの前記跳躍手段から前記捕捉手段を飛び越さずに直接捕捉されるように跳躍して該捕捉手段に至る第二跳躍流路、
前記第一跳躍流路、及び前記第二跳躍流路とは異なり、遊技媒体が前記跳躍手段を介さずに前記捕捉手段に至る特別流路、
前記入賞口に入賞した遊技媒体を、前記第一跳躍流路、前記第二跳躍流路、及び前記特別流路の何れかに振分可能な振分手段、
を有した排出流路と、
遊技者の操作によって変化する遊技状態を検出する遊技状態検出手段と、
該遊技状態検出手段により検出された遊技状態に応じて、前記第一跳躍流路、前記第二跳躍流路、及び前記特別流路のうち、遊技媒体が最も前記第一受入口に受入れられる割合が高くされた流路に、遊技媒体が振り分けられるように前記振分手段を制御する振分制御手段と、
前記抽選手段の前記抽選結果に応じて、前記表示手段に表示された演出画像を変動表示させた後に、前記抽選結果を示唆するような演出画像に停止表示させる演出表示制御手段と
を具備する」ものであることを特徴とする。
【００８３】
手段８の構成によると、所定の演出画像を表示可能な表示手段と、表示手段の上方に配置された入賞口と、入賞口を開閉する開閉手段と、遊技領域の所定位置の遊技媒体を検出する遊技媒体検出手段と、遊技媒体検出手段の検出によって所定の抽選結果を抽選する抽選手段と、抽選手段の抽選結果に応じて有利遊技状態を発生させる有利遊技状態発生手段と、有利遊技状態の発生として開閉手段に所定の開閉動作をさせる開閉制御手段と、入賞口に入賞した遊技媒体を遊技状態制御に関わらないように表示手段の後端面よりも前方側を通って表示手段の下方に流下させて遊技機外に排出可能とされ、内部の遊技媒体を視認可能な所定規模の遊技媒体流通空間、遊技媒体流通空間内の遊技媒体を排出し遊技媒体の受入れを注目され易くした第一受入口、及び第一受入口に受入れられなかった遊技媒体を受入れる第二受入口、第一受入口及び第二受入口との上流に配置され大入賞口からの遊技媒体に運動エネルギーを付与する運動エネルギー付与手段、運動エネルギーを付与された遊技媒体を高反発性部材によって跳躍させる跳躍手段、遊技媒体の運動エネルギーを低反発性部材からなる運動エネルギー減衰手段によって減衰させることで遊技媒体を捕捉し第一受入口を有した捕捉手段、遊技媒体に付与される運動エネルギーを調節可能な付与エネルギー調節手段、捕捉手段を挟むように複数の跳躍手段を配置した上で一方の跳躍手段により跳躍することで捕捉手段を飛び越してから他方の跳躍手段で再度跳躍して捕捉手段に捕捉される第一跳躍流路、捕捉手段を飛び越さずに何れかの跳躍手段で跳躍して捕捉手段に捕捉される第二跳躍流路、跳躍手段では跳躍せずに捕捉手段に捕捉される特別流路、及び入賞口に入賞した遊技媒体を第一跳躍流路、第二跳躍流路、特別流路の何れかの流路に振り分ける振分手段、を有した排出流路と、遊技状態を検出する遊技状態検出手段と、検出された遊技状態に応じて第一跳躍流路、第二跳躍流路、及び特別流路のうち遊技媒体が第一受入口に受入れられ割合を最も高くした流路に振り分けられるように振分手段を制御する振分制御手段と、抽選手段の抽選結果によって演出画像を変動表示させると共に抽選結果を示唆する演出画像を停止表示させる演出表示制御手段とを備えたものである。
【００８４】
換言すると、遊技媒体検出手段の検出により所定の抽選結果が抽選され、その抽選結果によって有利遊技状態が発生すると、表示手段の上方に配置された入賞口を開閉する開閉手段が開閉動作をし、開状態の時に入賞口に遊技媒体が入賞すると、遊技状態に応じて、入賞した遊技媒体が表示手段における演出画像の前面で、跳躍したり落下したりする第一跳躍流路、第二跳躍流路、及び特別流路のうち、第一受入口に遊技媒体が受入れられる割合が最も高い流路に振り分けられて、何れかの流路を流通した後に、遊技領域に戻されることなく排出されるものである。
【００８５】
これにより、表示手段の上方に配置された入賞口に入賞した遊技媒体が、表示手段の後ろ側を通ることなく排出されるので、遊技機の厚みが厚くなるのを抑制することができ、而して、厚みの厚い大型の表示手段を用いても、遊技機の厚みが厚くなるのを抑制することができるので、演出画像の表示領域を広くすることが可能となり、演出画像に用いられる図柄やキャラクタ等を、より見易くしたり、より興趣の高められるような複雑（繊細）な動きをさせることができ、興趣が低下するのを抑制することができる。
【００８６】
また、表示手段の上方に入賞口を配置しており、遊技媒体が打ち込まれる遊技領域の上部に近いので、遊技媒体の打ち込み操作により入賞口を狙い易くなり、有利遊技状態の際の遊技媒体の打ち込み操作による興趣をより高めることができると共に、表示手段を大型化しても従来の遊技機のように表示手段の下方に配置されていないので、遊技媒体の入賞口への入賞が表示手段の大きさに影響され難く、遊技媒体による興趣を低下させることなく表示手段を大型化することができる。
【００８７】
更に、表示手段の上方に配置した入賞口を大入賞口としているので、「大当り」等が抽選されて有利遊技状態となると、短時間に多くの遊技媒体が入賞口（大入賞口）に入賞させられることとなるが、排出流路が表示手段の後端面よりも前方側に配置されているので、排出流路の幅を例えば、表示手段の幅と略同じ幅とすることが可能となり、排出流路の容積を大きくすることができ、大量の遊技媒体が排出流路を流通しても、排出流路内で遊技媒体が滞るのを防止することが可能となり、排出流路内での球詰まりの発生を防止することができ、良好に有利遊技状態を楽しませることができると共に、表示手段の大型化による障害を可及的に少なくすることができ、障害により興趣が低下するのを抑制することのできる。
【００８８】
また、有利遊技状態中は遊技者の打ち込み操作が入賞口（大入賞口）のみを狙う単純な操作となるので、遊技に対して余裕が生まれ、排出流路内での遊技媒体の動きにも興味を抱かせることが可能となることから、排出流路内で遊技媒体に跳躍したり落下させたりする種々の動きによる演出を付与することで、排出流路内の遊技媒体に注目させると共に、その動きによる演出によって遊技者を楽しませて、興趣を高められるようにすることができる。
【００８９】
また、遊技媒体が入賞口に入賞すると、排出流路の遊技媒体流通空間内に進入し、振分手段によって何れかの流路に振り分けられる。つまり、運動エネルギー付与手段によって運動エネルギーの付与された遊技媒体が、一方の跳躍手段による跳躍で第一受入口を有した捕捉手段を飛び越してから他方の跳躍手段で再度跳躍して捕捉手段の運動エネルギー減衰手段によって捕捉される第一跳躍流路、遊技媒体が捕捉手段を飛び越さずに跳躍手段で跳躍して捕捉手段の運動エネルギー減衰手段によって捕捉される第二跳躍流路、及び跳躍手段では跳躍せずに捕捉手段の運動エネルギー捕捉手段によって捕捉される特別流路の何れかの流路に振分手段によって振り分けられるので、遊技媒体が何れの流路に振り分けられても、跳躍したり落下したりするこれまでにない躍動感に溢れたダイナミックな動きを見せることができ、入賞口への入賞により遊技領域に戻されることなく排出される遊技媒体でも、遊技者を充分に楽しませることが可能となり、興趣の高められるものとすることができる。
【００９０】
更に、振分手段によって、第一跳躍流路、第二跳躍流路、及び特別流路の何れかの流路に遊技媒体が振り分けられるので、何れの流路に振り分けられるかで、遊技者をワクワク、ドキドキさせることができると共に、所定の遊技状態となると、遊技媒体が第一受入口に受入れられる割合の最も高い流路に振り分けられるので、その遊技状態となった時に、該当する流路に振り分けられるか否かによっても、期待感を持たせることができ、興趣を高められるものとすることができる。
【００９１】
また、抽選の際に図柄等の演出画像が変動表示されることで、所望の抽選結果が表示されるか否かで、抽選結果に対する期待感を高めることができ、興趣を高められるものとすることができると共に、表示手段による演出を従来の遊技機と同様のものとすることで、従来の遊技機に慣れた遊技者に違和感を与えるのを防止して、楽しめる遊技機とすることができる。
【００９２】
なお、遊技状態に応じて、入賞口に入賞した遊技媒体が、第一受入口に受入れられる割合が高くなるので、例えば、遊技状態として抽選結果が、「当り」を抽選する抽選確率を通常時の確率よりも高確率に変更する「確変大当り」や「確変小当り」の時に、第一受入口に受入れられるようにした場合、あたかも遊技媒体が第一受入口に受入れられたことで、抽選確率が高確率に変更されるように見せることができ、従来の遊技機のような演出画像を用いた確率を変更させる演出表示とは全く異なるものとすることができ、遊技者に斬新な感覚を与えて、より興趣の高められるものとすることができる。
【００９３】
また、例えば、「大当り」が抽選されて有利遊技状態が発生する際に、表示手段に表示される有利遊技状態の継続回数（ラウンド数）が実際の継続回数よりも少ない継続回数が表示された時に、入賞口に入賞した遊技媒体が振分手段の振り分けにより第一受入口に受入れられるようにした後に、継続回数の表示を実際の継続回数とするようにした場合、従来の遊技機ような継続回数を増加させる演出を演出画像の演出表示で行うものと比較して、あたかも遊技媒体が第一受入口に受入れられたことで、継続回数が増加したように見せることができ、内部的な処理ではなく遊技媒体の打ち込み操作によって得られたような気分にさせることが可能となり、より興趣が高められるのを期待することができる。
【００９４】
手段９：手段１から手段８までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００９５】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００９６】
手段９の構成によると、パチンコ機において、上述した手段のいずれかの作用効果を奏することができる。
【００９７】
手段１０：手段１から手段８までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００９８】
手段１０の構成によると、パチスロ機において、上述した手段のいずれかの作用効果を奏することができる。
【００９９】
手段１１：手段１から手段８までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【０１００】
手段１１の構成によると、パチンコ機とパチスロ機とを融合させてなる遊技機において、上述した手段のいずれかの作用効果を奏することができる。
【発明の効果】
【０１０１】
このように、本発明によれば、表示手段の大型化による障害を可及的に少なくすることで興趣が低下するのを抑制することのできる遊技機を提供することができる。
【図面の簡単な説明】
【０１０２】
【図１】パチンコ機の前側全体を示す正面図である。
【図２】パチンコ機の外枠の一側に本体枠が開かれその本体枠の一側に前面枠が開かれた状態を示す斜視図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体及び各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】遊技盤の背面斜視図である。
【図１０】遊技領域の構成を示す拡大正面図である。
【図１１】遊技領域の要部を示す斜視図である。
【図１２】役物内における遊技媒体を動きを説明する説明図である。
【図１３】役物における振分手段を概略構成で示す斜視図である。
【図１４】パチンコ機の制御構成を概略的に示すブロック図である。
【図１５】主基板に搭載されるＣＰＵにより実行されるメイン処理を示すフローチャートである。
【図１６】主基板に搭載されるＣＰＵにより実行される電源断発生時処理を示すフローチャートである。
【図１７】主基板に搭載されるＣＰＵにより実行されるタイマ割込処理を示すフローチャートである。
【図１８】遊技処理における機能的な概略構成を示すブロック図である。
【図１９】主基板に搭載されるＣＰＵにより実行される遊技処理を示すフローチャートである。
【図２０】遊技処理における変動開始処理を示すフローチャートである。
【図２１】変動開始処理における大当り判定処理を示すフローチャートである。
【図２２】遊技処理における変動表示パターン設定処理を示すフローチャートである。
【図２３】遊技処理における変動中処理を示すフローチャートである。
【図２４】遊技処理における大当り遊技開始処理を示すフローチャートである。
【図２５】遊技処理における大当り遊技中処理を示すフローチャートである。
【図２６】遊技処理における小当り遊技処理を示すフローチャートである。
【発明を実施するための形態】
【０１０３】
以下、本発明の一実施形態であるパチンコ遊技機（以下、単に「パチンコ機」という）を、図面に基づいて詳細に説明する。
［パチンコ機の全体構成について］  図１及び図２に基づき説明する。
図１はパチンコ機の前側全体を示す正面図であり、図２はパチンコ機の外枠の一側に本体枠が開かれその本体枠の一側に前面枠が開かれた状態を示す斜視図である。なお、図１及び図２においては遊技領域における装飾部材を省略して示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【０１０４】
［本体枠の構成について］  図１及び図３に基づき説明する。
図３はパチンコ機の本体枠と遊技盤とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図２参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【０１０５】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【０１０６】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン５９が設けられている。
【０１０７】
［施錠装置の構成について］  図２及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【０１０８】
［遊技盤装着枠の構成について］  図２乃至図４に基づき説明する。
図４はパチンコ機の後側全体を示す背面図である。
図２及び図３に示すように、本体枠３の遊技盤装着枠１２は、前枠体１１の後側に設けられかつ遊技盤５が前方から着脱交換可能に装着されるようになっている。遊技盤５は、
遊技盤装着枠１２の前方から嵌込まれる大きさの略四角板状に形成されている（図９参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【０１０９】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台９１が設けられている。このボックス装着台９１には、音声制御基板、ランプ制御基板等の副制御基板９２が収納された副制御基板ボックス９３が装着され、その副制御基板ボックス９３の後側に重ね合わされた状態で、主制御基板９４が収納された主制御基板ボックス９５が装着されている。さらに、遊技盤５の後側に対しボックス装着台９１、副制御基板ボックス９３及び主制御基板ボックス９５がそれぞれ装着された状態において、本体枠３の遊技盤装着枠１２の前方から遊技盤５を嵌込んで装着できるように、遊技盤５の外郭より外側にはみ出すことなくボックス装着台９１、副制御基板ボックス９３及び主制御基板ボックス９５が配置されている。
【０１１０】
［本体枠の機構装着体、球タンク及びタンクレールの構成について］  図７及び図８に基づき説明する。
図７はパチンコ機の本体枠に各種部材が組み付けられた状態を斜め右上後方から示す斜視図であり、図８は本体枠単体を斜め右上後方から示す斜視図である。
本体枠３の機構装着体１３には、タンク装着部１１１、レール装着部１１２、及び払出装置装着部１１３等がそれぞれ形成され、タンク装着部１１１には球タンク１１４が装着されている。球タンク１１４は、透明な合成樹脂材よりなり、島設備から供給される多数の遊技球が貯留可能な上方に開口する箱形状に形成されている。そして、球タンク１１４の遊技球の貯留状態が球タンク１１４の後側壁を透して視認可能となっている。また、球タンク１１４の底板部１１５の後側隅部には遊技球を放出する放出口１１６が形成されるとともに、底板部１１５は放出口１１６に向けて下傾する傾斜面に形成されている。
【０１１１】
本体枠３の機構装着体１３には、そのタンク装着部１１１に下方に接近してレール装着部１１２が一体に形成され、そのレール装着部１１２にレール構成部材１１７が装着されることでタンクレール１１８が構成されるようになっている。すなわち、この実施形態において、レール装着部１１１は、本体枠３の上部横方向部分が所定深さ凹まされた状態で形成されており、その凹部の奥側壁をタンクレール１１８の前壁部１１９とし、その凹部の下縁部に沿って一端（図８に向かって左端）から他端（図８に向かって右端）に向けて下傾する傾斜状のレール棚１２０が形成されている。そして、レール棚１２０の横方向に延びる上向き面をレール受け部１２１としている。
【０１１２】
レール装着部１１２に装着されてタンクレール１１８を構成するレール構成部材１１７は、レール装着部１１２の前壁部１１９との間にレール通路を構成する後壁部１２２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１１７は、レール装着部１１２に対し適宜の取付手段によって装着され、これによって、前後複数列のレール通路を備えたタンクレール１１８が構成されている。そして、球タンク１１４の放出口１１６から放出（自重によって落下）された遊技球がタンクレール１１８の前後複数列のレール通路の一端部においてそれぞれ受けられた後、遊技球が自重によってレール通路に沿って転動することでレール通路の他端部に向けて流れるようになっている。また、この実施形態において、レール構成部材１１７は、透明な合成樹脂材より形成され、これによって、レール通路内の遊技球の流れ状態が、レール構成部材１１７の後壁部１２２を透して視認可能となっている。
【０１１３】
タンクレール１１８（レール装着部１１２）の前壁部１１９は、遊技盤５の後側に突出する装備品（例えば役物）における後部の上端部との干渉を避けるため第１空間部を隔てた状態で設けられている。また、この実施形態において、本体枠３の後端部となるレール棚１２０の後端と、タンクレール１１８の後壁部は、球タンク１１４の後側壁と略同一面をなしている。言い換えると、球タンク１１４の後壁部に対しタンクレール１１８の後壁部が略同一面となる位置までタンクレール１１８が遊技盤５の後面より後方に離隔して配置されている。これによって、遊技盤５の後側とタンクレール１１８の前壁部１１９との間に装備品（例えば役物）の後部との干渉を避けるための第１空間部が設けられるようになっている。
【０１１４】
また、タンクレール１１８の上方には、レール通路を流れる遊技球を上下に重なることなく整列させる整流体１２３がその上部において軸１２４を中心として揺動可能に装着されている。この整流体１２３には、その中央部から下部において錘が設けられている。
【０１１５】
［払出装置装着部及び球払出装置の構成について］  図７及び図８に基づき説明する。
本体枠３の機構装着体１３の片側寄りの上下方向には、次に述べる球払出装置（球払出ユニット）１２５に対応する縦長の払出装置装着部１１３が形成されている。払出装置装着部１１３は、後方に開口部をもつ凹状に形成されている。また、払出装置装着部１１３の段差状をなす奥壁部（図示しない）の所定位置には、球払出装置１２５の払出用モータ１２６（図３参照）が突出可能な開口部１２７が形成されている。
【０１１６】
払出装置装着部１１３の凹部に球払出装置１２５が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１１３の周壁部後端、レール棚１２０の後端、球タンク１１４、タンクレール１１８及び球払出装置１２５のそれぞれの後面は略同一面をなしている。
【０１１７】
球払出装置１２５は、払出装置装着部１１３の凹部と略同じ大きさの縦長のボックス形状をなし、払い出しに関する各種部品が装着されることでユニット化されている。なお、球払出装置１２５は、払出装置装着部１１３の凹部の後方開口部から嵌込まれて適宜の取付手段（例えば、弾性クリップ、係止爪、ビス等の取付手段）によって装着されるようになっている。
【０１１８】
また、図示しないが、球払出装置１２５は、タンクレール１１８におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【０１１９】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１２８等が取付基板１２９に組み付けられてユニット化された発射装置ユニット１３０が装着されている。また、前枠体１１の後下部領域の略中央部には、電源基板１３１を収容する電源基板ボックス１３２が装着され、その電源基板ボックス１３２の後側に重ね合わされた状態で払出制御基板１３３を収容する払出制御基板ボックス１３４が装着されている。払出制御基板１３３は、遊技球を払い出す数を記憶するＲＡＭを備え、主制御基板９４から送信される払出用信号に従って遊技球を払い出す制御信号を中継用回路基板（図示しない）に伝達して払出用モータ１２６を作動制御するようになっている。
【０１２０】
［後カバー体の構成について］  図４及び図５に基づき説明する。
図５はパチンコ機の後側全体を右上後方から示す斜視図である。
遊技盤５後面に配置された表示装置制御基板ボックス１３５（図９参照）及び主制御基板ボックス９５の後端部は機構装着体１３の中央部に開口された窓開口部に向けて突出している。そして、機構装着体１３の窓開口部の一側壁を構成する側壁部と他側壁を構成する払出装置装着部１１３の片側壁との間には、不透明な合成樹脂材によって略方形の箱形状に形成された後カバー体１３６がカバーヒンジ機構１３７によって開閉並びに着脱可能に装着されている。
【０１２１】
後カバー体１３６は、略四角形状の後壁部１３８と、その後壁部１３８の外周縁から前方に向けて突出された周壁部１３９とから一体に構成されている。後カバー体１３６の周壁部１３９のうち、一側の壁部１３９ａには、機構装着体１３の側壁部の上下及び中間の計３箇所に形成されたヒンジ体１４０のヒンジ孔の上方からそれぞれ着脱可能に嵌込まれるヒンジピン１４１を下向きに有するヒンジ体１４２が一体に形成されている。また、後カバー体１３６の周壁部１３９のうち、他側の壁部１３９ｂには、払出装置装着部１１３の片側壁に形成された係止孔に弾性的に係合可能な係止爪を有する弾性閉止体１４３が一体に形成されている。
【０１２２】
すなわち、後カバー体１３６は、その上下及び中間のヒンジ体１４２の各ヒンジピン１４１が機構装着体１３の側壁部のヒンジ体１４０のヒンジ孔の上方からそれぞれ嵌込まれる。この状態で、ヒンジピン１４１を中心として後カバー体１３６が機構装着体１３の他側に向けて回動されながら、その弾性閉止体１４３を払出装置装着部１１３の片側壁の係止孔に差し込んで弾性的に係合させることで、機構装着体１３の後側に後カバー体１３６が閉じ状態で保持される。そして、後カバー体１３６によって、遊技盤５後面の表示装置制御基板ボックス１３５（図９参照）全体及び主制御基板ボックス９５の略中間部から上端にわたる部分が後カバー体１３６によって覆われるようになっている。これによって、主制御基板ボックス９５の上部に露出された主制御基板９４の基板コネクタ（主として表示装置制御基板と接続するための基板コネクタ）が後方から視認不能に隠蔽されている。
【０１２３】
また、主制御基板ボックス９５の略中間部から下端にわたる部分は後カバー体１３６によって覆われることなく露出されている。そして、主制御基板ボックス９５の下部には、その主制御基板９４上に配置された検査用コネクタ１４４が露出されており、後カバー体１３６が閉じられた状態で主制御基板９４上の検査用コネクタ１４４に基板検査装置（図示しない）を接続して検査可能となっている。
【０１２４】
後カバー体１３６には、多数の放熱孔１４５、１４６、１４７、１４８が貫設されており、これら多数の放熱孔１４５、１４６、１４７、１４８から内部の熱が放出されるようになっている。この実施形態において、後カバー体１３６には、その周壁部１３９から後壁部１３８に延びる多数のスリット状の放熱孔１４５が貫設され、後壁部１３８の略中間高さ位置から上部においては多数の長円形、楕円形等の放熱孔１４６が貫設され、後壁部１３８の下部には多数の長円形、楕円形等の放熱孔１４７と所定数の横長四角形状の放熱孔１４８が貫設されている。
【０１２５】
また、横長四角形状の放熱孔１４８は、主制御基板ボックス９５の封印ねじ（封印部材）によって封印される複数の並列状の封印部１４９の列の大きさ及び配設位置に対応する大きさ及び位置に貫設されている。これによって、不透明な後カバー体１３６が閉じられた状態であっても、主制御基板ボックス９５の複数の並列状の封印部１４９が放熱孔１４８の部分において視認可能に露出される。このため、後カバー体１３６が閉じられた状態であっても、主制御基板ボックス９５の封印部１４９の封印状態を容易に視認することができる。また、不透明な合成樹脂材は、透明な合成樹脂材と比べ、リサイクル使用される合成樹脂材を材料として用いることが容易であるため、後カバー体１３６を安価に製作することができる。
【０１２６】
後カバー体１３６の周壁部１３９のうち、上側壁部１３９ｃの所定位置（この実施形態では左右２箇所）には、電源コード（図示しない）を適宜に折り畳んだ状態で保持する略Ｃ字状でかつ弾性変形可能なコード保持体１５０が上方のタンクレール１１８の後壁面（レール構成部材１１７の後壁面）に向けて延出されている。このコード保持体１５０の先端部には、同コード保持体１５０を弾性変形させて電源コードを取り外すためのつまみが形成されている。
【０１２７】
電源コードは、その一端が分電基板１５１の基板コネクタ１５２に取り外し可能に接続され、他端の電源プラグが電源コンセントに差し込まれる。前記したように、後カバー体１３６にコード保持体１５０を一体に形成して電源コードを保持することで、パチンコ機１を運搬、保管する際に電源コードがぶらついて邪魔になったり、異物に引っ掛かる不具合を防止することができる。
【０１２８】
［本体枠の後側下部の下皿用球誘導体等の構成について］  図１及び図６に基づき説明する。
図６は、図５に示すパチンコ機の斜視図から後カバー体及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体１５３が装着されている。この下皿用球誘導体１５３は、球払出装置１２５の賞球及び貸球用球通路から上皿連絡路（図示しない）を経て上皿５１に払い出された遊技球が満杯になったときに、上皿連絡路の遊技球を下皿３１に導くためのものである。
【０１２９】
なお、この実施形態において、下皿用球誘導体１５３の後壁外面には、インタフェース基板１５４を収納している基板ボックス１５５が装着されている。なお、インタフェース基板１５４は、パチンコ機１に隣接して設置される球貸機と払出制御基板１３３との間に介在され、球貸に関する信号を球貸機と払出制御基板１３３との間で送受信可能に電気的に接続するようになっている。
【０１３０】
［遊技盤及び遊技領域の構成について］  図１０乃至図１３に基づき説明する。
図１０は遊技領域の構成を示す拡大正面図であり、図１１は遊技領域の要部を示す斜視図であり、図１２は役物内における遊技媒体を動きを説明する説明図であり、図１３は役物における振分手段を概略構成で示す斜視図である。
【０１３１】
遊技盤５には、上述した通り外レール７６、及び内レール７７からなる案内レール７８が備えられており、この案内レール７８の内側には、遊技領域３７が区画形成されている。この遊技領域３７には、その略中央部分に役物２１０が配設されていると共に、役物２１０の後方に、前方から視認可能とされた演出表示装置２１１が備えられている。この役物２１０の左側には、ゲート２１２が設けられており、このゲート２１２には、図示は省略するがゲート２１２を通過した遊技球を検出するゲートスイッチが設けられている。
【０１３２】
また、遊技領域３７には、役物２１０の中央下方には、可変入賞装置２１３が配設されている。この可変入賞装置２１３は、上方から遊技球が入賞可能な第一始動口２１４と、第一始動口２１４の下方に設けられた第二始動口２１５と、第一始動口２１４に入賞した遊技球を検出する第一始動口スイッチと、第二始動口２１５に入賞した遊技球を検出する第二始動口スイッチと、第二始動口２１５の両側に配置されソレノイド（図示は省略する）により下部を支点として回動可能な一対の可動片２１６とを備えている。
【０１３３】
この可変入賞装置２１３における第二始動口２１５は、通常、上方に位置する第一始動口２１４と、第二始動口２１５の両側に位置する可動片２１６により塞がれて遊技球が入賞不可能な閉塞状態となっており、図示しないソレノイドを可動して一対の可動片２１６が拡開するように回動させ、遊技球が左右方向から入賞可能な開放状態に制御する。この可動片２１６の開閉制御は、ゲート２１２を遊技球が通過してゲートスイッチによって検出されたことに基づいて、制御されるようになっている。なお、本例では、第一始動口２１４に遊技球が入賞し、第一始動口スイッチによって検出されたことに基づいて所定数（例えば、３個）の遊技球の払い出しが行われ、第二始動口２１５に遊技球が入賞し、第二
始動口スイッチによって検出されたことに基づいて所定数（例えば、４個）の遊技球の払い出しが行われる。
【０１３４】
また、遊技領域３７には、その最下部に、流下していずれの入賞口や入賞装置にも入賞しなかった遊技球を遊技領域３７から排出するアウト口２１７が設けられている。また、遊技領域３７には、上方から遊技球が入賞可能な複数の一般入賞口２１８も設けられ、一般入賞口２１８に遊技球が入賞したことに基づいて所定数の遊技球の払い出しが行われる。なお、一般入賞口２１８に入賞した遊技球は一般入賞口スイッチ（図示は省略する）によって検出され、一般入賞口２１８に遊技球が入賞し、一般入賞口スイッチによって検出されたことに基づいて所定数（例えば、１０個）の遊技球の払い出しが行われる。
【０１３５】
更に、遊技領域３７には、多数の障害釘が所定のゲージ配列をなして設けられていると共に、適宜位置に風車２１９が設けられており、遊技球の流下方向を変化させて、遊技球の挙動が面白くなるようにしている。
【０１３６】
本例の役物２１０は、図示するように、後方に配置された演出表示装置２１１が前方から視認可能となるように、全体として額縁状（枠状）に構成されており、その枠内を通して演出表示装置２１１が前方から視認可能となっている。また、役物２１０には、その枠の前面に透明な前面板２２０が備えられ、前面板２２０と演出表示装置２１１との間に所定規模の流通空間２２１が形成されていると共に、この前面板２２０によって遊技盤５の前面の遊技領域３７と流通空間２２１とが互いに隔てられ、遊技領域３７と流通空間２２１との間を遊技球の行き来が阻止されている。
【０１３７】
この役物２１０は、岩等を模した装飾体が形成されており、役物２１０のデザインによってパチンコ機１の機種やゲームコンセプト等が特徴付けられている。具体的には、本例では、遊技球をゴルフボールに見立てて、その流通空間２２１内にフェアウエイやグリーン、カップ等に相当する装飾体を配置し、全体としてゴルフ場をイメージした役物２１０となっている。
【０１３８】
この役物２１０の上縁部には、アタッカ装置２３０が配置されており、アタッカ装置２３０は、遊技球が進入可能な大入賞口２３５（図１２参照）と、大入賞口２３５を閉鎖する横長の矩形状に形成された開閉部材２３１と、具体的な構造は省略するが開閉部材２３１を開閉動作させるためのアタッカソレノイド３２４（図１４参照）とから構成されている。このアタッカ装置２３０には大入賞口２３５に入賞した遊技球をカウントするカウントセンサ３１９（図１４参照）が備えられており、カウントセンサ３１９に検出された遊技球が流通空間２２１内に進入するようになっている。
【０１３９】
また、アタッカ装置２３０は、遊技球が第一始動口２１４や第二始動口２１５への入賞によって「大当り」、「短当り」や「小当り」が抽選されると、夫々の当りに応じて開閉部材２３１が所定の開閉動作をし、開閉部材２３１が開状態の時に遊技球が大入賞口２３５に入賞すると、所定数（例えば、１４個）の遊技球が払い出されるようになっている。なお、アタッカ装置２３０の大入賞口２３５には、「大当り」や「短当り」の時に、遊技球の受入れにより大当り遊技を継続させるＶ入賞口２３６が設けられており、Ｖ入賞口２３６に受入れられた遊技球もカウントセンサ３１９により検出されるようになっている。
【０１４０】
ここで、「大当り」、及び「短当り」とは、アタッカ装置２３０の開閉部材２３１を開状態として、その間に所定数の遊技球が大入賞口２３５に入賞するか、又は所定時間経過すると開閉部材２３１を閉状態とし、その開閉部材２３１の開閉動作を複数回繰り返すことで、遊技球が大入賞口２３５に入賞し易くしてより多くの遊技球が払い出されるようにするものであり、開閉部材２３１の一回の開閉動作を１ラウンドと呼ぶものである。特に、「短当り」は、「大当り」よりも開閉部材２３１が開状態となる時間が短いと共に、開閉動作を繰り返すラウンド数が少なく（例えば、２〜３ラウンド）、大入賞口２３５に殆んど遊技球が入らないような「当り」である。
【０１４１】
なお、本実施形態では、「大当り」の場合は、開閉部材２３１が開状態の時に大入賞口２３５に所定数として例えば１０個の遊技球が入賞するか、又は所定時間として例えば３０秒経過すると１ラウンドとして開閉部材２３１を閉状態とし、そのラウンドを、例えば８ラウンド又は１６ラウンド繰り返すものである。また、「短当り」の場合は、開閉部材２３１を例えば０．１〜２秒間、開状態とした後に閉状態とし、このラウンドを例えば２ラウンド繰り返すものであり、「大当り」と比較して「短当り」は蓋然的に大入賞口２３５に入賞させる機会が少なく、遊技球の払い出しが少ないものとなっている。
【０１４２】
また、「小当り」とは、アタッカ装置２３０の開閉部材２３１が、「短当り」と同様の開閉動作をするものであり、アタッカ装置２３０における開閉部材２３１の開閉動作だけでは「短当り」と「小当り」の区別が略付かないようになっている。また、「小当り」の時には大入賞口２３５のＶ入賞口２３６が無効化されており、Ｖ入賞しないようになっている。
【０１４３】
更に、抽選結果が「小当り」及び「短当り」の時は、「大当り」の時と比較して、アタッカ装置２３０の開閉部材２３１が、短時間且つ少回数だけ開閉動作するので、演出表示装置２１１に図柄等からなる演出画像が変動表示することで、アタッカ装置２３０の開閉動作に気付き難いようになっている。
【０１４４】
なお、本例では、「大当り」及び「短当り」には、「大当り」及び「短当り」が抽選される確率を、次回の抽選から通常時の確率よりも高確率に変更する「確変大当り」及び「確変短当り」（以下、「確変小当り」と称す）と、高確率に変更しない「非確変大当り」とを夫々有している。
【０１４５】
また、この役物２１０は、アタッカ装置２３０の下側に、役物２１０の上部に供給された遊技球を役物２１０の左右へと導く誘導棚２３３とが備えられている（図１０及び図１２参照）。この誘導棚２３３は、アタッカ装置２３０の直下が最も高くなるような緩い円弧状の誘導面を有し、本例では、岩を模した装飾体とされている。
【０１４６】
この、誘導棚２３３により導かれる図中右側の誘導路は、役物２１０の内部と言うよりは、役物２１０の表面を遊技球が流下するような流路であり、流通する遊技球がジグザグに流下するように千鳥状に障害部２３４が複数配置されているものである。これら障害部２３４の遊技球と当接する当接部には、後述する低反発性部材が用いられており、遊技球が不用に跳ね回るのを防止して、滑らかに流下するようになっている。この障害部２３４は、滝の途中に水面から突出したような岩を模した装飾体とされており、遊技球と当接する低反発性部材の部分がゴルフ場におけるフェアウエイに見立てたものとされている。なお、障害部２３４の配置された誘導路を流通する遊技媒体が、アタッカ装置２３０の大入賞口２３５から進入する流通空間２２１内へは流通しないようになっている。
【０１４７】
また、役物２１０には、その流通空間２２１内に複数の遊技球の流路が形成されており、アタッカ装置２３０の大入賞口２３５から進入した遊技球を何れかの流路に振り分ける振分装置２４０を更に備えている。この振分装置２４０は、図１３に示すように、大入賞口２３５から進入した遊技球を受けると共に、その底部に遊技球が通過可能な複数（本例では三つ）の通孔２４１が穿設された皿状の受部２４２と、受部２４２の各通孔２４１に対応し遊技球を各流路に誘導する誘導部２４３と、具体的な構成は省略するが受部２４２の傾きを変化させることのできる振分駆動手段２４４（図１４参照）とから構成されている。本例では、誘導部２４３が、演出表示装置２１１の前面で且つその上縁部よりやや下方に下がった位置に配置されている。
【０１４８】
詳しくは、受部２４２の底部には、その前方左側に第一通孔２４１ａ、前方右側に第二通孔２４１ｂ、中央後方に第三通孔２４１ｃが夫々穿設されておる。また、それら通孔２４１に対応した誘導部２４３は、第一通孔２４１ａと対応し遊技球を役物２１０内部の左縁部に誘導する第一誘導部２４３ａ、第二通孔２４１ｂと対応し遊技球を役物２１０内部の右縁部に誘導する第二誘導部２４３ｂ、第三通孔２４１ｃと対応し遊技球を役物２１０の略中央に誘導する第三誘導部２４３ｃ、とされている。
【０１４９】
この振分装置２４０では、受部２４２や誘導部２４３が夫々透光性を有する（例えば、透明）素材により形成されており、振分装置２４０内の遊技球を外部から視認することができ、振り分けられる遊技球を見せることで期待感を持たせられるようになっている。なお、受部２４２へ供給される遊技球を、受部２４２内でその周方向に回転するように供給させるようにしても良く、遊技球がルーレットの如く回転することで興趣を高めることができる。
【０１５０】
また、この振分装置２４０では、各通孔２４１が夫々受部２４２の周方向に略均等に配置されていると共に、夫々略同じ大きさとされているので、受部２４２が略水平状態の時には受部２４２に供給された遊技球が夫々の通孔２４１を通過する確率は夫々１／３となっていると共に、振分駆動手段２４４の駆動により受部２４２を傾斜させることで、第三通孔２４１ｃに振り分けられる確率が他の通孔よりも高くなるようになっている。なお、通孔２４１の配置を変更したり、大きさを互いに異ならせたりしても良く、これにより、遊技球が各通孔２４１を通過する確率を互いに異ならせることができる。
【０１５１】
この役物２１０には、振分装置２４０により各流路に振り分けられた遊技球に、各流路に応じて種々の動きを付与させて遊技者を楽しませる様々なギミックが備えられている。その一つとして遊技球を跳躍させることのできる跳躍装置２５０を備えおり、本例では、跳躍装置２５０は、遊技球自身の持つ運動エネルギーを利用して遊技球を跳躍させるもので、電気等による駆動力を必要としないものである。
【０１５２】
この跳躍装置２５０には、所定速度で転動する遊技球の移動方向を水平方向以上の方向に接触誘導させることで遊技球を跳躍させる第一跳躍装置２５０ａ、高反発性部材で遊技球を反発させることで遊技球を跳躍させる第二跳躍装置２５０ｂ及び第三跳躍装置２５０ｃ、が含まれている。本例では、跳躍装置２５０が演出表示装置２１１の前面且つ下縁部付近に夫々配置され、第一跳躍装置２５０ａと第二跳躍装置２５０ｂが互いに対向するように左右方向に所定距離離反して配置されていると共に、第二跳躍装置２５０ｂの近傍に第三跳躍装置２５０ｃが配置されている。
【０１５３】
第一跳躍装置２５０ａは、図１０乃至図１２に示すように、岩を模した装飾体からなり、上方が開放され遊技球が転動可能な所定の幅を有した湾曲状の誘導面２５１を有してお
り、所定の初速度で遊技球をこの誘導面２５１に供給すると、遊技球が誘導面２５１に沿って転動し、その開放端から放出されることでジャンプするように跳躍させることができ
るようになっている。
【０１５４】
また、第二跳躍装置２５０ｂ及び第三跳躍装置２５０ｃは、図示するように、略平面に形成された反発面２５２を有しており、この反発面２５２に遊技球が衝突（当接）することで高反発性部材の反発力によって遊技球を跳躍させることができると共に、各第二跳躍装置２５０ｂ及び第三跳躍装置２５０ｃに供給される遊技球の速度や移動方向、遊技球の跳躍先等の条件に応じて夫々の反発面２５２の向きや角度が適宜選択されている。
【０１５５】
これら第二跳躍装置２５０ｂ及び第三跳躍装置２５０ｃは、岩を模した一つの装飾体とされ、それらの反発面２５２がゴルフ場におけるフェアウエイに見立てられている。また、第二跳躍装置２５０ｂ及び第三跳躍装置２５０ｃを有した装飾体には、右側の誘導棚２３３から流出した遊技球が流下する誘導路内に配置された障害部２３４の一つが、一体に形成されている。
【０１５６】
なお、第一跳躍装置２５０ａには、振分装置２４０において第一誘導部２４３ａに振り分けられた遊技球を受け取って誘導面２５１の開放端とは反対側の端部に供給する誘導スロープ２５３が接続されており、この誘導スロープ２５３を遊技球が転動落下することで所定量の運動エネルギーが付与されて、遊技球が第一跳躍装置２５０ａによって確実に跳躍するようになっている。また、高反発性部材として、ゴム、バネ（金属製、樹脂製など）、等の弾性部材を適宜用いることができ、本例では、高反発性樹脂が用いられている。
【０１５７】
また、役物２１０には、流通空間２２１内に進入した遊技球に所定の動きを付与して遊技者を楽しませるものとして、役物２１０内部の下縁部で、且つ、第一跳躍装置２５０ａと第二跳躍装置２５０ｂとの間に配置され、遊技球を左右前後方向に転動可能なステージ２６０を更に備えている。
【０１５８】
このステージ２６０は、役物２１０の流通空間２２１内に供給された遊技球の運動エネルギーを減衰させると共に、前後左右方向に遊技球を転動可能とされた第一ステージ２６１と、第一ステージ２６１の下方に配置され所定幅を有し遊技球を左右方向に転動可能とされた第二ステージ２６２とから構成されている。
【０１５９】
第一ステージ２６１は、平面視、扇状に形成された捕捉転動面２６３（図１１参照）と、捕捉転動面上２６３に開口する第一受入口２６４とで構成されており、捕捉転動面２６３が正面視では左右方向の中央が窪んだ緩い円弧状とされると共に、高さの異なる複数段（本例では三段）の転動面からなり、捕捉転動面２６３における最下段の転動面の略中央に第一受入口２６４が設けられている。この第一ステージ２６１は、ゴルフ場におけるグリーン見立てられており、第一受入口２６４がグリーン上に設けられたカップに相当している。なお、この第一ステージ２６１の捕捉転動面２６３は、低反発性部材により形成されており、当接（衝突）した遊技球の運動エネルギーを減衰させることができるようになっている。また、捕捉転動面２６３上に第一受入口２６４に受入れられた遊技球は、排出センサ３２２（図１４参照）に検出された後に、遊技状態制御に関わらないように、遊技領域３７に戻されることなく、パチンコ機１の外部へ排出されるようになっている。
【０１６０】
この第一ステージ２６１は、供給された遊技球の運動エネルギーをその物理的な変形により減衰させることで、その捕捉転動面２６３上で遊技球が弾んだり跳ねたりするのを防止して、その面形状に沿うように遊技球を転動させることができ、供給された遊技球がその上段の転動面から下段の転動面へ流下するような面形状となっており、最下段の転動面からは更に第二ステージ２６２へ流下するようになっている。この第二ステージ２６２の略中央には、第二受入口２６５が備えられており、第一受入口２６４に受入れられなかった遊技球を受入れて、排出センサ３２２により検出した後に、第一受入口２６４と同様に遊技状態制御に関わらないように、遊技領域３７に戻すことなくパチンコ機１の外部へ排出するものである。
【０１６１】
なお、第一ステージ２６１の捕捉転動面２６３は、遊技球の運動エネルギーをその物理的な変形により減衰させるものとして、「粘弾性を有したゴムや樹脂」、「発泡成形されたゴムや樹脂」、「液体や粘性流体を内包したもの」、「ゲル状物質を内包したもの」、「粉体又は粒状体を内包したもの」、「不織布」、「モケット」、「パイル織状物又はパイル状物」、等の低反発性部材を用いることができ、本例では、例えば、内外ゴム株式会社の「ハネナイト（登録商標）」が用いられている。
【０１６２】
一方、第二ステージ２６２は、第一ステージ２６１から流下してきた遊技球を転動可能とし、その転動面の形状が、上方に開放された円弧形状とされると共に、特に中央部では緩い円弧形状とされ、遊技球が左右方向に転動し易いようになっている。
【０１６３】
更に、役物２１０の流通空間２２１内には、第三跳躍装置２５０ｃの上方に配置され、振分装置２４０における第二誘導部２４３ｂの端部から放出（落下）された遊技球を一旦受け取って、その運動エネルギーを減衰させた上で、第三跳躍装置２５０ｃに落下供給させる棚状のミニステージ２７０を備えている。このミニステージ２７０は、上方から供給される遊技球と当接可能とされ低反発性部材からなる傾斜面２７１と、傾斜面２７１の下端付近に設けられ遊技球を下方に流出させる流出部２７２とを備えている。なお、流出部２７２は遊技球が通過可能な穴とされており、この流出部２７２を遊技球が通過することで遊技球の水平方向の運動エネルギーを無くすことができ、第三跳躍装置２５０ｃに安定して落下させることができるようになっている。
【０１６４】
このミニステージ２７０は、上方から供給された遊技球が傾斜面２７１と当接することで、傾斜面２７１を構成する低反発性部材によりその運動エネルギーを減衰させ、殆んど傾斜面２７１上を弾むことなく遊技球を受け止めた上で、傾斜面２７１の傾斜に沿って遊技球をその下端に配置された流出部２７２へと転動させて、流出部２７２から遊技球を下方へ流出させるものである。つまり、ミニステージ２７０により落下する遊技球を一旦、受け止めてから下方に供給させるので、遊技球の動きにアクセントを付けることができ、その動きを楽しませることができるようになっている。
【０１６５】
また、ミニステージ２７０により、遊技球の運動エネルギーを減衰させた上で第三跳躍装置２５０ｃに供給させることができるので、第三跳躍装置２５０ｃに供給される遊技球の運動エネルギーを均質化させて、遊技球の跳躍ムラが発生するのを防止できるようになっている。
【０１６６】
このミニステージ２７０は、全体を岩に、傾斜面２７１をフェアウエイに、夫々模した装飾体とされ、右側の誘導棚２３３から流出した遊技球が流下する誘導路内に配置された障害部２３４の一つと一体に形成されている。
【０１６７】
なお、ミニステージ２７０を役物２１０の流通空間２２１内において、上下方向に移動可能とするようにしても良く、これにより、ミニステージ２７０と第三跳躍装置２５０ｃとの高低差を変化させることで、第三跳躍装置２５０ｃに供給される遊技球の運動エネルギーが変化して、第三跳躍装置２５０ｃから第一ステージ２６１へ跳躍する遊技球の飛距離を変化させることが可能となり、遊技球が第一ステージ２６１の案内孔２６４に入球する確率を変化させることができ、より興趣の高められるものとすることができる。
【０１６８】
本例の役物２１０では、演出表示装置２１１の上縁部に振分装置２４０を配置すると共に、演出表示装置２１１の下縁部に跳躍装置２５０やステージ２６０を配置しており、振分装置２４０と、跳躍装置２５０やステージ２６０との間に所定の高低差を設けることで、その間を流下（落下）する遊技球に重力を用いて所定の運動エネルギーを付与することができるようになっており、それらの高低差による運動エネルギーが、遊技球を各跳躍装置２５０において所望の跳躍となるように選択されている。なお、本例の高低差が本発明の運動エネルギー付与手段に相当している。
【０１６９】
また、本例の役物２１０は、第一始動口２１４又は第二始動口２１５への遊技球の入賞により抽選される抽選結果が「確変小当り」の場合、振分装置２４０が、振分駆動手段２４４の駆動によって、アタッカ装置２３０の大入賞口２３５に入賞した遊技球を、特別流路に振り分けられるようにしており、「確変小当り」の時に大入賞口２３５に遊技球を入賞させると、第一受入口２６４に遊技球が受入れられる割合が高くなるようになっている。
【０１７０】
なお、本例の演出表示装置２１１が本発明の表示手段に、本例の流通空間２２１が本発明の排出流路（遊技媒体流通空間）に、本例のアタッカ装置２３０における開閉部材２３１が本発明の開閉手段に、及び、本例の振分装置２４０が本発明の振分手段に、夫々相当している。
【０１７１】
また、本例の跳躍装置２５０が本発明の跳躍手段に、本例の誘導スロープ２５３が本発明の運動エネルギー付与手段に、本例の第一ステージ２６１及び転動捕捉面２６３が本発明の捕捉手段に、及び本例のミニステージ２７０が本発明の付与エネルギー調節手段に、夫々相当している。
【０１７２】
（役物内での遊技球の流れについて）
次に、役物２１０内での遊技球の流れについて、詳細に説明する。図１２にも示すように、役物２１０の上部に配置されたアタッカ装置２３０の大入賞口２３５に遊技球が入賞すると、振分装置２４０の受部２４２へと送られ、受部２４２の底部に穿設された三つの通孔２４１の何れから通孔２４１と対応する誘導部２４３へと送られる。
【０１７３】
まず、遊技球が振分装置２４０において、第一通孔２４１ａを通過して第一誘導部２４３ａに振り分けられた場合、遊技球の流れとしては、遊技球が第一誘導部２４３ａに沿って左側の端部へと転動し、その左端部から誘導スロープ２５３へと受け渡され、誘導スロープ２５３に受け渡された遊技球が、重力加速度により急激にその速度を速めると共に、誘導スロープ２５３に沿って下方に接続された第一跳躍装置２５０ａに向かって転動する。そして、第一跳躍装置２５０ａでは、その湾曲状の誘導面２５１に誘導されて、移動方向を上方に変更されて、誘導面２５１の開放端からジャンプするように跳躍する。
【０１７４】
そして、第一跳躍装置２５０ａから跳躍した遊技球が、第一ステージ２６１を飛び越して、演出表示装置２１１の前面側且つ右縁部付近に配置された第二跳躍装置２５０ｂへと跳躍する。この第二跳躍装置２５０ｂは、その反発面２５２の角度が、第一跳躍装置２５０ａから跳んできた遊技球を反発させた場合に、反発した遊技球が第一ステージ２６１上に跳ぶような角度とされており、第一跳躍装置２５０ａから跳んできた遊技球が第二跳躍装置２５０ｂにより跳躍して第一ステージ２６１上に落下し、第一ステージ２６１の捕捉転動面２６３を形成する低反発性部材により殆んど反発することなく第一ステージ２６１に供給されるような遊技球の流れとなる（第一跳躍流路）。
【０１７５】
これにより、この第一跳躍流路では、遊技球が、第一ステージ２６１を飛び越した上で第二跳躍装置２５０ｂによって跳躍して第一ステージ２６１上に載るので、遊技球を可変入賞装置２１３の第一始動口２１４へ案内させる契機となる第一ステージ２６１を飛び越すような従来にない躍動感に溢れた遊技球の動きをさせることができ、飽き難くすることが可能となって、興趣が低下するのを抑制することができる。また、遊技球が第一ステージ２６１を飛び越してしまうので、遊技者に遊技球が第一ステージ２６１に載らなくて第一始動口２１４に案内されないように思わせて一瞬興趣を低下させることができ、その後、第二跳躍装置２５０ｂにより跳躍して第一ステージ２６１に載ることで興趣を高めることができ、遊技者をよりハラハラ、ドキドキさせることが可能となり、抑揚に富んだ興趣を高められるものとすることができる。
【０１７６】
一方、遊技球が振分装置２４０において、第二通孔２４１ｂを通過して第二誘導部２４３ｂに振り分けられた場合、遊技球の流れとしては、遊技球が第二誘導部２４３ｂに沿って右側の端部へと転動し、その右端部から下方に配置されたミニステージ２７０へと落下する。このミニステージ２７０の傾斜面２７１に落下した遊技球は、傾斜面２７１を形成する低反発性部材により殆んど反発することなく傾斜面２７１に受け取られ、その傾斜面２７１に沿って下端へと転動する。そして、傾斜面２７１の下端に設けられた流出部２７２から第三跳躍装置２５０ｃに向かって落下する。
【０１７７】
この第三跳躍装置２５０ｃも、その反発面２５２の角度が、ミニステージ２７０から落下した遊技球を反発させた場合、反発した遊技球が第一ステージ２６１上に跳躍するような角度とされており、ミニステージ２７０の流出部２７２を介して落下してきた遊技球が第三跳躍装置２５０ｃにより跳躍して第一ステージ２６１上に落下し、第一ステージ２６１の捕捉転動面２６３を形成する低反発性部材により殆んど反発することなく第一ステージ２６１に供給されるような遊技球の流れとなる（第二跳躍流路）。
【０１７８】
これにより、この第二跳躍流路では、下方に落下する遊技球の落下途中で、遊技球がミニステージ２７０に載ることで、一旦、遊技球の落下が停止して静かな動きとなり、ミニステージ２７０から流出すると再び落下して速い動きとなり、第三跳躍装置２５０ｃで跳躍して第一ステージ２６１に載るような緩急があり躍動感のあるこれまでにない遊技球の動きをさせることができ、遊技者の興趣を高めることができる。
【０１７９】
また、遊技球が振分装置２４０において、第三通孔２４１ｃを通過して第三誘導部２４３ｃに振り分けられた場合、遊技球の流れとしては、遊技球が第三誘導部２４３ｃから放出されると、役物２１０の略中央で、演出表示装置２１１の前面を、第一ステージ２６１に向かって一気に落下し、第一ステージ２６１の捕捉転動面２６３を形成する低反発性部材により殆んど反発することなく第一ステージ２６１に供給されるような流れとなる（特別流路）。
【０１８０】
これにより、この特別流路では、上記の第一跳躍流路や第二跳躍流路と異なり、遊技球が跳躍することなく、一気に第一ステージ２６１へと落下供給されるため、遊技者にいきなりチャンスが到来したような感覚を持たせることが可能となり、より興趣の高められるものとすることができる。
【０１８１】
ところで、大入賞口２３５から進入した遊技球は、何れの流路に振り分けられても第一ステージ２６１上に供給されるが、特別流路を介して第一ステージ２６１に供給された遊技球は、左右方向の運動エネルギーを殆んど有していないので、第一ステージ２６１上の第一案内口２６４に受入れられる確率が高くなる。それに対して、第一跳躍流路や第二跳躍流路を介して第一ステージ２６１に供給された遊技球は、左右方向の運動エネルギーが比較的大きいため、第一ステージ２６１上を左右方向に転動し易くなり、第一受入口２６４に受入れられる確率が低くなる。これにより、特別流路に遊技球が振り分けられると第一受入口２６４に受入れられる確率が高くなるようになっている。
【０１８２】
一方、遊技球が第一ステージ２６１において、その第一受入口２６４に受入れられなかった場合、第一ステージ２６１から第二ステージ２６２へと流下し、第二ステージ２６２上を転動した後に、第二受入口２６５へと受入れられて、遊技領域３７へ再度戻すことなくパチンコ機１の外部へと排出されるようになっている。
【０１８３】
［主基板及び周辺基板の機能的構成について］  図１４に基づき説明する。
図１４はパチンコ機の制御構成を概略的に示すブロック図である。
パチンコ機１の制御は、大きく分けて主基板３１０のグループと周辺基板３１１のグループとで分担されており、このうち主基板３１０のグループが遊技動作（入賞検出や当り判定、特別図柄表示、賞球払出等）を制御しており、周辺基板３１１のグループが演出動作（発光装飾や音響出力、液晶表示等）を制御している。
【０１８４】
主基板３１０は、主制御基板９４と払出制御基板１３３とから構成されている。主制御基板９４は、中央演算装置としてのＣＰＵ３１４、読み出し専用メモリとしてのＲＯＭ３１５、読み書き可能メモリとしてのＲＡＭ３１６を備えている。ＣＰＵ３１４は、ＲＯＭ３１５に格納されている制御プログラムを実行することによりパチンコ機１で行われる各種遊技を制御したり、周辺基板３１１や払出制御基板１３３に出力するコマンド信号を作成したりする。ＲＡＭ３１６には、主制御基板９４で実行される種々の処理において生成される各種データや入力信号等の情報が一時的に記憶される。
【０１８５】
主制御基板９４には、ゲートセンサ３１７、始動口センサ３１８（第一始動口センサ３１８ａ，第二始動口センサ３１８ｂ）、カウントセンサ３１９、Ｖ入賞センサ３２０、一般入賞口センサ３２１、排出センサ３２２等からの検出信号が入力される。一方、主制御基板９４は、始動口ソレノイド３２３、アタッカソレノイド３２４、特別図柄表示器３２５等へ駆動信号を出力する。
【０１８６】
また、払出制御基板１３３は、中央演算装置としてのＣＰＵ３３３、読み出し専用メモリとしてのＲＯＭ３３４、読み書き可能メモリとしてのＲＡＭ３３５を備えている。そして、払出制御基板１３３は、主制御基板９４から入力したコマンド信号を処理し、球払出装置１２５に駆動信号を出力する。これにより、球払出装置１２５は、駆動信号に従って遊技球を払い出す。
【０１８７】
主制御基板９４と払出制御基板１３３との間では、それぞれの入出力インタフェースを介して双方向通信が実施されており、例えば主制御基板９４が賞球コマンドを送信すると、これに応えて払出制御基板１３３から主制御基板９４にＡＣＫ信号が返される。
【０１８８】
一方、周辺基板３１１には、サブ統合基板３３６のほかに例えば複数の電飾制御基板３３７，３３８や波形制御基板３３９等が含まれる。上記の主制御基板９４とサブ統合基板３３６との間では、それぞれの入出力インタフェースと入力インタフェースとの間で一方向だけの通信が行われており、主制御基板９４からサブ統合基板３３６へのコマンドの送信はあっても、その逆は行われない。
【０１８９】
サブ統合基板３３６もまた、ＣＰＵ３５０をはじめＲＯＭ３５１やＲＡＭ３５２等の電子部品を有しており、これら電子部品によって所定の演出制御プログラムを実行することができる。サブ統合基板３３６とその他の電飾制御基板３３７，３３８や波形制御基板３３９との間では、それぞれの入出力インタフェースとの間で双方向に通信が行われる。また、サブ統合基板３３６は、役物２１０における振分装置２４０の受部２４２を傾動させる振分駆動手段２４４へ駆動信号を出力可能とされており、始動入賞による抽選結果が「確変小当り」の時に、主制御基板９４から送信される所定の制御コマンドに基づいて、振分駆動手段２４４を駆動して、大入賞口２３５に入賞した遊技球を特別流路に振り分けられ易くして、第一受入口２６４に遊技球が受入れられる割合を高くすることができるようになっている。
【０１９０】
このサブ統合基板３３６と接続された１つ目の電飾制御基板３３７には主に、保留ランプ３５３と、サイド装飾装置５２等を含む装飾ランプ３５４とが接続されており、サブ統合基板３３６から電飾制御基板３３７に対して装飾ランプ３５４の点灯信号が送信されると、これを受けて電飾制御基板３３７が装飾ランプ３５４を点灯させる処理を行う。２つ目の電飾制御基板３３８には演出表示装置２１１とともに演出ランプ３５５が接続されている。例えばサブ統合基板３３６から演出表示装置２１１に対する表示コマンドが電飾制御基板３３８に送信されると、これを受けて電飾制御基板３３８は実際に演出表示装置２１１を作動させる処理を行う。
【０１９１】
波形制御基板３３９は、音響出力としての可聴音波のほか、不可聴である超音波等の波形信号を生成、送受信する処理を実行している。例えば、サブ統合基板３３６から音響出力コマンドが波形制御基板３３９に送信されると、これを受けて波形制御基板３３９は上記のスピーカ１８，５７を駆動する処理を行う。このほかにも、波形制御基板３３９には超音波送受信装置３５６が接続されており、この超音波送受信装置３５６は、複数の台間で超音波による通信を可能とする。通常、ホールの島設備には複数台のパチンコ機１が並べて設置されるが、超音波送受信装置３５６を装備しているパチンコ機１同士の間では、相互に超音波通信が可能となる。この通信機能を用いて、複数のパチンコ機１で演出動作をシンクロナイズさせたり、特定の台間で遊技情報の交換を行ったりすることができる。
【０１９２】
なお、電飾制御基板３３７，３３８、及び波形制御基板３３９にも、それぞれ中央演算装置としてのＣＰＵ３５７，３５８，３５９、読み出し専用メモリとしてのＲＯＭ３７０，３７１，３７２、及び読み書き可能メモリとしてのＲＡＭ３７３，３７４，３７５を備えている。
【０１９３】
なお、本実施形態では、図示は省略するが、役物２１０における流通空間２２１へ進入する遊技球を検出するカウントセンサ３１９と、流通空間２２１から排出される遊技球を検出する排出センサ３２２とにより、流通空間２２１へ進入した遊技球の数と、排出された遊技球の数とを比較し、その数が一致しなければ球詰まりを報知する球詰まり報知器が備えられている。
【０１９４】
また、本例の第一始動口２１４、第二始動口２１５、及び始動口センサ３１８（第一始動口センサ３１８ａ，第二始動口センサ３１８ｂ）が本発明の遊技媒体検出手段、及び遊技状態検出手段に相当している。
【０１９５】
［遊技処理について］  図１５〜図２６に基づき説明する。
図１５は、主基板に搭載されるＣＰＵにより実行されるメイン処理を示すフローチャートである。図１６は、主基板に搭載されるＣＰＵにより実行される電源断発生時処理を示すフローチャートである。図１７は、主基板に搭載されるＣＰＵにより実行されるタイマ割込処理を示すフローチャートである。図１８は、遊技処理における機能的な概略構成を示すブロック図である。図１９は、主基板に搭載されるＣＰＵにより実行される遊技処理を示すフローチャートである。図２０は、遊技処理における変動開始処理を示すフローチャートである。図２１は、変動開始処理における当り判定処理を示すフローチャートである。図２２は、遊技処理における変動表示パターン設定処理を示すフローチャートである。図２３は、遊技処理における変動中処理を示すフローチャートである。図２４は、遊技処理における大当り遊技開始処理を示すフローチャートである。図２５は、遊技処理における大当り遊技中処理を示すフローチャートである。図２６は、遊技処理における小当り遊技処理を示すフローチャートである。
【０１９６】
本実施形態のパチンコ機１は、所定のプログラムを実行することで遊技をするための各処理が展開されるようになっているものである。まず、図１５のフローチャートに示すように、ＣＰＵ３１４では、パチンコ機１へ電力の供給が開始されると、ステップＳ１００１において電源投入時処理を実行する。この電源投入時処理では、ＲＡＭ３１６に記憶されているバックアップデータが正常であるか（停電発生時の設定値となっているか）否か判別し、正常であればＲＡＭ３１６に記憶されているバックアップデータに従って停電発生時の状態に戻す処理（復電時処理）を実行し、バックアップデータが異常であればＲＡＭ３１６をクリアしてＣＰＵ周辺のデバイス設定（通常の初期設定：割込タイミングの設定等）を行う。
【０１９７】
なお、遊技途中でパチンコ機１への電力供給が停止すると、ＲＡＭ３１６に現在の遊技状態がバックアップデータとして記憶される。また、電源投入時処理にてＲＡＭ３１６に記憶されているバックアップデータのクリアを指示するＲＡＭ消去スイッチがオンであれば、ＲＡＭ３１６をクリアし、通常の初期設定を行う。また、電源投入時処理にて主制御基板９４に搭載されるＲＡＭ３１６にバックアップデータが保存されていない場合には、ＲＡＭ３１６をクリアし、通常の初期設定を行う。
【０１９８】
また、電源投入時処理では、通常の初期設定を実行したときにサブ統合基板３３６に主制御基板９４が起動したことを示す電源投入コマンドを送信可能な状態にセットする処理も実行される。電源投入コマンドは、主制御基板９４が起動したことをサブ統合基板３３６に通知するものである。なお、遊技店の閉店時等にパチンコ機１への電力供給を停止した場合（電源を落とした場合）にもＲＡＭ３１６にバックアップデータが記憶され、再びパチンコ機１への電力供給を開始したときには電源投入時処理が実行される。
【０１９９】
ステップＳ１００１において、電源投入時処理が終了すると、ＣＰＵ３１４では、遊技用の各処理を繰り返し実行するループ処理を開始する。このループ処理の開始時には、ＣＰＵ１０２は、まず、ステップＳ１００２において、停電予告信号が検知されているか否かを判定する。なお、この実施の形態では、パチンコ機１にて使用する電源電圧は、電源基板（図示しない）によって生成する。すなわち、パチンコ機１に搭載される複数種類の装置はそれぞれ異なる電源電圧で動作するため、外部電源からパチンコ機１に供給される電源電圧を電源基板にて所定の電源電圧に変換した後、各装置に供給している。しかして、停電が発生し、外部電源から電源基板に供給される電源電圧が所定の電源電圧以下となると、電源基板から主制御基板９４に電源電圧の供給が停止することを示す停電予告信号が送信される。
【０２００】
そして、ステップＳ１００２で主制御基板９４に搭載されるＣＰＵ３１４により停電予告信号を検知すると、ステップＳ１００３へと進み電源断発生時処理を実行する。この電源断発生時処理は、停電後に電源基板に供給される電源電圧が（この実施の形態では、２４Ｖ）復旧した場合に（以下、復電と呼ぶ）、遊技機の動作を停電前の状態から開始するために停電発生時の状態をＲＡＭ３１６にバックアップデータとして記憶する処理である。処理内容は後述するが、本実施例においては、図示する通り、電源断発生時処理は、割込処理ではなく、ループの開始直後に停電予告信号の検知有無に応じて実行される分岐処理としてメイン処理（主制御処理）内に組み込まれている。  
【０２０１】
ステップＳ１００２で停電予告信号が検知されていない場合、すなわち外部電源からの電力が正常に供給されている場合には、ステップＳ１００４へと進み、遊技にて用いられる各種乱数を更新する乱数更新処理２を行う。なお、乱数更新処理２にて更新される乱数については後述する。
【０２０２】
図１６は、図１５に示すメイン処理における電源断発生時処理（ステップＳ１００３）の一例を示すフローチャートである。上述したように、電源断発生時処理は、メイン処理において、停電予告信号が検出された時に実行される処理である。ＣＰＵ３１４は、まず、ステップＳ１１０１において、割込処理が実行されないように割込禁止設定を行う。そして、続くステップＳ１１０２におて、ＲＡＭ３１６のチェックサムを算出し、ＲＡＭ３１６の所定領域に保存する。このチェックサムは、復電時に停電前のＲＡＭ３１６の内容が保持されているか否かをチェックするのに使用される。
【０２０３】
続いて、ＣＰＵ１０２では、ステップＳ１１０３において、ＲＡＭ３１６の所定領域に設けられたバックアップフラグに、電源断発生時処理が行われたことを示す規定値を設定する。以上の処理を終えると、ステップＳ１１０４に進み、ＣＰＵ３１４では、ＲＡＭ３１６へのアクセスを禁止し、無限ループに入って電力供給の停止に備える。なお、この処理では、ごく短時間の停電等（以下、「瞬停」と呼ぶ）によって、電源電圧が不安定となることによって、電源断発生時処理が開始されてしまった場合、実際には電源電圧は停止されないため、上記処理では、無限ループから復帰することができなくなるおそれがある。かかる弊害を回避するため、本実施例のＣＰＵ３１４には、ウォッチドックタイマが設けられており、所定時間、ウォッチドックタイマが更新されないとリセットがかかるように構成されている。ウォッチドックタイマは、正常に処理が行われている間は定期的に更新されるが、電源断発生時処理に入り、更新が行われなくなる。この結果、瞬停によって、電源断発生時処理に入り、この無限ループに入った場合でも、所定期間経過後にリセットがかかり、電源投入時と同じプロセスでＣＰＵ３１４が起動することになる。
【０２０４】
図１７は、タイマ割込処理の一例を示すフローチャートである。本実施形態では、メイン処理の実行中に主制御基板９４に搭載されるＣＰＵ３１４により４ｍｓ毎にタイマ割込処理が実行されるようになっている。このタイマ割込処理において、ＣＰＵ３１４は、まずステップＳ１２０１において、レジスタの退避処理を実行した後、続くステップＳ１２０２のセンサ入力処理へと進む、このステップＳ１２０２では、上述したセンサ（ゲートセンサ３１７、始動口センサ３１８（第一始動口センサ３１８ａ，第二始動口センサ３１８ｂ）、カウントセンサ３１９、Ｖ入賞センサ３２０、一般入賞口センサ３２１、排出センサ３２２等）の検出信号を監視する処理を実行する。
【０２０５】
続くステップＳ１２０３の払出動作処理では、ステップＳ１２０２のセンサ入力処理にて検出された信号にもとづいて払出制御基板１３３に遊技球の払い出しを指示する払出コマンドを設定する。次のステップＳ１２０４の乱数更新処理１では、遊技にて用いられる各種乱数を更新する処理を実行する。なお、この実施の形態では、乱数更新処理１にて更新される乱数と、上述した乱数更新処理２にて更新される乱数と、は異なる。乱数については後述するが、乱数更新処理２にて更新される乱数を乱数更新処理１でも更新するようにしてもよい。
【０２０６】
また、次のステップＳ１２０５の遊技処理では、遊技の進行状態に応じてパチンコ機１を制御する処理が実行される。そして、続くステップＳ１２０６の普通図柄遊技では、普通図柄表示器（図示は省略する）に関わる制御処理を実行する。次のステップＳ１２０７の普通電動役物遊技では、可動片２１６の開閉制御するための処理を実行する。更に続くステップＳ１２０８の特別図柄遊技では、ステップＳ１２０５の遊技処理の処理の結果にもとづいて特別図柄表示器３２５を変動表示する制御を実行する。
【０２０７】
更に、ステップＳ１２０９の特別電動役物遊技では、アタッカソレノイド３２４を制御して開閉部材２３１の開閉制御を実行する。次のステップＳ１２１０のコマンド伝送出力処理では、ステップＳ１２０５の遊技処理でセットされた制御コマンドをサブ統合基板３３６に送信する処理を実行する。また、このコマンド伝送出力処理では、パチンコ機１への電力供給が開始されたときに電源投入時処理（図１５のステップＳ１００１）でセットされた電源投入コマンドをサブ統合基板３３６に送信する処理も行われる。
【０２０８】
次のステップＳ１２１１のＩ／Ｏポート出力処理では、パチンコ機１の外部（例えば、ホール側の管理コンピュータ等）に遊技状態を示す状態信号を出力する処理、特図始動記憶ランプ（図示せず）に駆動信号を出力する処理、等を実行する。そして、ステップＳ１２０２からステップＳ１２１１までの処理を実行すると、ステップＳ１２１２へと進み、レジスタの復帰処理を実行して、処理を終了する。
【０２０９】
ここで、上述したステップＳ１２０４の乱数更新処理１、およびメイン処理におけるステップＳ１００４の乱数更新処理２において、主制御基板９４に搭載されるＣＰＵ３１４により更新される各種乱数について簡単に説明する。本実施形態では、遊技にて用いられる各種乱数として、「大当り」や「短当り」等の大当り判定に用いられる大当り判定乱数、「大当り」や「短当り」等の「当り」が抽選される抽選確率を高確率とするか否かの判定に用いられる確率変更乱数、「小当り」の小当り判定に用いられる小当り判定乱数、特別図柄表示器３２５に表示されている特別図柄の変動表示パターンを決定するために用いられる変動表示パターン乱数、等がある。
【０２１０】
これらの乱数のうち、乱数更新処理１では、大当り判定乱数、確率変更乱数等の更新を行う。すなわち、「大当り」や「短当り」による大当り遊技状態の発生に用いられる乱数
は所定のタイミングとして４ｍｓ毎に更新される。このようにすることにより、それぞれの乱数における所定期間における確率（「大当り」と判定する確率、「短当り」と判定する確率）を一定にすることができ、遊技者に不利な状態となることを防止できる。一方、乱数更新処理２では、変動表示パターン乱数、等の更新を行う。なお、主制御基板９４で更新される乱数は、上記したものに限られず、乱数更新処理２では、大当り判定乱数を更新するカウンタが１周したときに次にカウントを開始させる大当り判定乱数の初期値を決定するための初期値決定乱数等の更新も行う。
【０２１１】
（遊技処理における機能的構成について）
遊技プログラムとして実現される機能的な構成と、それらの構成を用いた具体的な遊技内容の一例を説明する。図１８に示すように、主基板３１０には、第一始動口２１４、第二始動口２１５への遊技球の入賞を検出する始動口センサ３１８（第一始動口センサ３１８ａ、第二始動口センサ３１８ｂ）からの検出信号に基づいて抽選手段として所定の乱数を発生させる乱数発生手段４１１と、乱数発生手段４１１により発生した乱数に応じて遊技者が有利となる特典として、例えば、「大当り」や「短当り」等の「当り」を付与するか否かを判定する当否判定手段４１２と、当否判定手段４１２により特典を付与すると判定されると、発生した乱数に応じて、「短当り」又は「大当り」の何れの特典を付与するかを選択する特典選択手段４１３と、特典選択手段４１３により選択された特典が「短当り」であれば、変動表示された演出画像が停止表示される前に「短当り」を付与し、選択された特典が「大当り」であれば、変動表示された演出画像が停止表示された後に「大当り」を付与する特典付与手段４１４と、特典付与手段４１４により付与される特典が、「大当り」又は「短当り」が抽選される抽選確率が通常時の確率の時に、「確変大当り」又は「確変小当り」であれば、抽選確率を通常時の確率よりも高確率に変更すると判定し、抽選確率が通常時の確率よりも高確率の時に、「非確変大当り」であれば、抽選確率を通常時の確率に変更すると判定する確率変更判定手段４１５と、確率変更判定手段４１５により抽選確率を変更すると判定されると、「大当り」又は「短当り」の付与の終了後に、抽選確率を確率変更判定手段４１５の判定に従って変更する確率変更手段４１６とを備えているものである。
【０２１２】
また、主基板３１０には、特典付与手段４１４によって付与される特典に応じて、アタッカ装置２３０の開閉部材２３１を開閉駆動するためのアタッカソレノイド３２４の駆動を制御する開閉制御手段４１７と、乱数発生手段４１１、当否判定手段４１２、特典選択手段、及び特典付与手段４１４からの情報を制御コマンドとして周辺基板３１１に送信するためのコマンド送信手段４１８とを更に備えている。
【０２１３】
更に、主基板３１０には、当否判定手段４１２によって「当り」を付与しない、つまり、「ハズレ」と判定されると、小当り判定乱数に応じて「小当り」を付与するか否かを判定する小特典判定手段４１９と、小特典付与手段４１９によって「小当り」を付与すると判定されると、変動表示された演出画像が停止表示される前に「小当り」を付与する小特典付与手段４２０とを更に備えている。なお、小当り判定乱数は、乱数発生手段４１１により発生させるようにしても良いし、当否判定手段４１２により「ハズレ」と判定されると、別途設けられた乱数判定手段によって発生させられるようにしても良い。
【０２１４】
一方、周辺基板３１１には、主基板３１０から送信される制御コマンドを受信するコマンド受信手段と、主基板３１０から送信される制御コマンドに応じて、演出表示装置２１１に表示された演出画像を変動表示させた後に、発生した乱数に基づいた抽選結果を示唆する演出画像で停止表示させる演出表示制御手段４３２と、振分装置２４０の受部２４２を傾動駆動する振分駆動手段２４４を制御する振分制御手段４３３とを備えている。この振分制御手段４３３は、特典選択手段４１３により選択された特典が「確変小当り」であると、アタッカ装置２３０の大入賞口２３５から役物２１０の流通空間２２１内に進入した遊技球を一つだけ、第一受入口２６４に受入れられる割合が高くされた特別流路に誘導するように、振分装置２４０の受部２４２を傾動させる振分駆動手段２４４を制御するものである。
【０２１５】
なお、本例の乱数発生手段４１１が、本発明の抽選手段に相当している。また、本例の「短当り」及び「大当り」が本発明の「第一特典」及び「第二特典」に夫々相当すると共に、本例の「確変小当り」が本発明の「確変第一特典」に相当し、また、本例の「非確変大当り」及び「確変大当り」が本例の「普通第二特典」及び「確変第二特典」に夫々相当するものである。また、本例の「小当り」が本発明の「小特典」に相当している。
【０２１６】
（遊技処理について）
図１９は、図１７に示すタイマ割込処理におけるステップＳ１２０５の遊技処理の一例を示すフローチャートである。この遊技処理は、主基板３１０のＣＰＵ３１４では、まず、ステップＳ１３０１において第一始動口２１４又は第二始動口２１５に遊技球が入賞したか否かを判別する。具体的には、始動口センサ３１８（第一始動口センサ３１８ａ，第二始動口センサ３１８ｂ）がＯＮとなって検出信号が出力されたか否かを判別し、始動口センサ３１８から検出信号が出力された場合には第一始動口２１４又は第二始動口２１５に遊技球が入賞したと判別しステップＳ１３０２へと進む。なお、ステップＳ１３０１において始動口センサ３１８がＯＮとなったと判断されると、各種乱数（大当り判定乱数、継続回数判定乱数、確率変更判定乱数、変動表示パターン乱数、小当り判定乱数等）を取得する。
【０２１７】
そして、ステップＳ１３０１において、第一始動口２１４又は第二始動口２１５に遊技球が入球して所定の乱数を取得すると、続くステップＳ１３０２では、ＲＡＭ３１６に設けられている留保球数カウンタの値が上限値となる４未満であるか否かを判断する。そして、留保球数カウンタの値が４未満であれば、ステップＳ１３０３へと進み、ステップＳ１３０１で取得した所定の乱数を記憶手段としてのＲＡＭ３１６に記憶格納させるための始動記憶格納処理が行われる。なお、ステップＳ１３０１において始動口センサ３１８がＯＮでない場合、及びステップＳ１３０２において留保球数カウンタの値が４以上である場合、には始動記憶格納処理を実行しないようになっている。
【０２１８】
ステップＳ１３０３における始動記憶格納処理では、留保球数カウンタに「１」を加算する処理と、留保球数カウンタの加算に伴って留保数表示制御手段による留保ランプ３５３に表示される留保球数の数を変更する処理（例えば、４つのランプからなる留保ランプ３５３とした場合は、留保球数を保留ランプ３５３の点灯数で示す処理）と、取得した乱数値（例えば、大当り判定乱数、継続回数判定乱数、確率変更判定乱数、小当り判定乱数等）をＲＡＭ３１６に設けられた始動記憶の保存領域に留保球数カウンタのカウント値に対応させて記憶する処理と、を行う。このように、留保球数カウンタは、始動記憶の保存領域に記憶される乱数値の数を示すカウンタである。また、ステップＳ１３０２において留保球数カウンタの値が上限値である場合にはステップＳ１３０１で取得した乱数値を破棄する。
【０２１９】
なお、ステップＳ１３０１で第一始動口２１４又は第二始動口２１５に遊技球が入球したと判断したときには、ステップＳ１３０１〜ステップＳ１３０３の間で各種乱数を取得すればよく、例えば、ステップＳ１３０１で各種乱数を取得せずに、ステップＳ１３０２で留保球数カウンタが上限値未満であることを判別した後に、各種乱数を取得してもよいし、始動記憶格納処理（ステップＳ１３０３）で取得するようにしてもよい。
【０２２０】
その後、遊技処理では、ＣＰＵ３１４が遊技の進行状態を示す処理選択フラグの値を参照し、処理選択フラグが［０］であればステップＳ１３０４の変動開始処理を、処理選択フラグが［１］であればステップＳ１３０５の変動表示パターン設定処理を、処理選択フラグが［２］であればステップＳ１３０６の変動中処理を、処理選択フラグが［３］であればステップＳ１３０７の大当り遊技開始処理を、処理選択フラグが［４］であればステップＳ１３０８の大当り遊技中処理を、処理選択フラグが［５］であればステップＳ１３０９の小当り遊技処理を行うようになっている。
【０２２１】
なお、本例では、大当り判定乱数による抽選結果として、「ハズレ」、「大当り」、及び「短当り」の三種類が用意されている。具体的には、抽選結果の「ハズレ」は、アタッカ装置２３０の開閉部材２３１が基本的には開状態とならないものである。また、「大当り」は、開閉部材２３１が開状態の時に大入賞口２３５に所定数として例えば１０個の遊技球が入賞するか、又は所定時間として例えば３０秒経過すると１ラウンドとして開閉部材２３１を閉状態とし、そのラウンドを、例えば７ラウンド又は１５ラウンド繰り返すものである。更に、「短当り」は、開閉部材２３１を例えば０．１〜２秒間、開状態とした後に閉状態とし、このラウンドを例えば２ラウンド繰り返すものであり、「大当り」と比較して、遊技球の払い出しが少ないものの、「ハズレ」と「大当り」しかなかった従来のパチンコ機よりも、「当り」の種類が多くなり、より興趣が高められるようになっている。
【０２２２】
また、本例では、大当り判定乱数による抽選結果が「大当り」又は「短当り」の「当り」となった時に用いられる確率変更判定乱数によって、先の「大当り」及び「短当り」が、「当り」が抽選される抽選確率を通常時の確率とする「非確変大当り」と、抽選確率を通常時の確率よりも高確率に変更する「確変大当り」及び「確変小当り」となるようになっている。この「確変大当り」及び「確変小当り」が抽選されることで、「当り」が抽選される抽選確率が、通常時の確率よりも高確率（例えば、通常時の確率の７倍の確率）となるので「当り」が抽選され易くなり、連続して「大当り」が抽選される場合があり、「大当り」が連続することで、より多くの遊技球が払い出されて、より興趣の高められるようになっている。
【０２２３】
更に、本例では、大当り判定乱数による抽選結果が「ハズレ」となった場合に用いられる小当り判定乱数による抽選結果には、「ハズレ」、及び「小当り」の二種類が用意されている。具体的には、抽選結果の「ハズレ」は、アタッカ装置２３０の開閉部材２３１が開状態とならないものであり、「小当り」は、アタッカ装置２３０の開閉部材２３１が「確変小当り」と同様の開閉動作をするものである。この「小当り」によって、アタッカ装置２３０の開閉部材２３１が「確変小当り」の時と同様の動きをするので、そのアタッカ装置２３０の開閉部材が２３１が開閉動作をしても、「確変小当り」によるものでるのか否かを不明確にすることができ、「確変小当り」かも知れないと、遊技者をワクワク、ドキドキさせることができると共に、突然、高確率に変更されたようになるので、得した気分にさせることができ、より興趣の高められるようになっている。
【０２２４】
本例の遊技処理において、処理選択フラグが［０］のときに実行される変動開始処理（ステップＳ１３０４）では、始動記憶数を確認し、始動記憶数が０でなければ、特別図柄の変動表示を開始するための設定を行う。詳しくは後述するが具体的には、ステップＳ１３０１において取得した大当り判定乱数及び小当り判定乱数に応じた抽選結果としての「大当り」、「短当り」、「小当り」及び「ハズレ」の何れであるかの判定を行い、処理選択フラグを［１］に更新する。処理選択フラグが［１］のときに実行される変動表示パターン設定処理（ステップＳ１３０５）では、特別図柄および図柄の変動表示に関わる設定を行う。詳しくは後述するが具体的には、特別図柄の変動表示パターンを決定し、当該変動表示パターンに対応して設定される変動時間（特別図柄表示器３２５にて特別図柄の変動表示を開始してから停止表示するまでの時間）をタイマにセットし、処理選択フラグを［２］に更新する。処理選択フラグが［２］のときに実行される変動中処理（ステップＳ１３０６）では、変動表示パターン設定処理（ステップＳ１３０５）で変動時間が設定されたタイマ等を監視し、タイマがタイムアウトしたことにもとづいて特別図柄表示器３２５における特別図柄の変動表示を停止させる処理を行うと共に、変動開始処理（ステップＳ１３０４）にて抽選結果が「大当り」又は「短当り」であれば処理選択フラグを［３］に更新し、「ハズレ」であれば処理選択フラグを［０］に更新し、「小当り」であれば処理選択フラグを［５］に更新する。
【０２２５】
また、処理選択フラグが［３］のときに実行される大当り遊技開始処理（ステップＳ１３０７）では、大当り遊技状態を開始するための設定を行う。詳しくは後述するが具体的には、アタッカ装置２３０における開閉部材２３１の開放回数等の設定を行う。処理選択フラグが［４］のときに実行される大当り遊技中処理（ステップＳ１３０８）では、詳しくは後述するが具体的には、カウントセンサ３１９によって検出された遊技球の個数を判別し、所定個数の遊技球が大入賞口２３５に入賞したとき、または、設定された開放時間がタイムアップしたとき大入賞口２３５を閉塞状態にするための処理を行う。また、大当り遊技状態におけるラウンド回数が所定回数に達していなければ、再び、大入賞口２３５を開放状態にするための処理を行い、大当り遊技状態におけるラウンド回数が所定回数に達したときには、「大当り」であれば処理選択フラグを［０］に、「短当り」であれば［２］に更新する。
【０２２６】
更に、処理選択フラグが［５］のときに実行される小当り遊技処理（ステップＳ１３０９）では、詳しくは後述するが具体的には、「短当り」と同じ開閉回数及び開放時間をセットして、大入賞口２３５の開閉処理を行った後に処理選択フラグを［２］に更新する。
【０２２７】
図２０は、上述の図１９に示した遊技処理における変動開始処理（ステップＳ１３０４）の一例を示すフローチャートである。この変動開始処理では、まず、ステップＳ１４０１において、主基板３１０のＣＰＵ３１４にでは、留保球数カウンタの値が０であるか否か判断する。上述したように、留保球数カウンタの値は、始動記憶の保存領域に格納される乱数値の数を示すものであるため、ステップＳ１４０１で留保球数カウンタの値が０であれば、始動記憶がないと判別されて、図示は省略するが大当り終了フラグをＯＦＦにして、本ルーチンの処理を終了する。なお、詳細は後述するが、大当り終了フラグは、大当り遊技が終了するとＯＮとなるものである。
【０２２８】
一方、ステップＳ１４０１で留保球数カウンタの値が０でなければ、ステップＳ１４０２に進み、始動記憶移行処理を実行する。ステップＳ１４０２の始動記憶移行処理では、留保球数カウンタを「１」減算する処理と、ＲＡＭ３１６に設けられた始動記憶の保存領域に記憶される各種乱数をシフトした後、始動記憶の保存領域のうち留保球数カウンタの０に対応する保存領域に保存される各種乱数（大当り判定乱数、確率変更判定乱数、小当り判定乱数等）を読み出す処理と、を行う。具体的には、始動記憶の保存領域にて留保球数カウンタのｎ（ｎ＝１、２、３、４）に対応する保存領域に記憶されている各種乱数を始動記憶の保存領域における留保球数カウンタのｎ−１（ｎ＝０、１、２、３）に対応する保存領域に記憶させる。
【０２２９】
次いで、ステップＳ１４０３では、留保記憶の保存領域のうち留保球数カウンタの０に対応する保存領域から読み出した大当り判定乱数、確率変更判定乱数、及び小当り判定乱数を用いて当り判定処理を行い、抽選結果が、「確変大当り」、「非確変大当り」、「確変小当り」（「短当り」）、「小当り」、及び「ハズレ」の何れであるかの判定を行い、続くステップＳ１４０４において、処理選択フラグを［１］に更新する。処理選択フラグを［１］に更新することにより、次にタイマ割込処理が発生し、遊技処理（図１９参照）が実行されたときに変動表示パターン設定処理（ステップＳ１３０５）が実行可能となる。
【０２３０】
図２１は、図２０で示した当り判定処理（ステップＳ１４０３）の一例を示すフローチャートである。当り判定処理が開始されると、まず、ステップＳ１５０１において、確変フラグがＯＮであるか否かが判定される。この確変フラグは、ＯＮであれば、「大当り」や「短当り」が抽選される抽選確率が高確率の状態であり、ＯＦＦであれば、抽選確率が通常時の状態である。このステップＳ１５０１は、現在の遊技状態が高確率の状態であるか否かを判定するものである。このステップＳ１５０１において、確変フラグがＯＮであると判定されると、ステップＳ１５０２へと進み、確変時大当り判定テーブルを選択し、ステップＳ１５０１において確変フラグがＯＦＦであると判定されると、ステップＳ１５０３へと進み、非確変時大当り判定テーブル（通常時大当り判定テーブル）が選択される。
【０２３１】
ステップＳ１５０２又はステップＳ１５０３において、大当り判定テーブルが選択されると、ステップＳ１５０４へと進み、選択された大当り判定テーブルを用いて、図２０に示した変動開始処理におけるステップＳ１４０２の始動記憶移行処理で読み出した大当り判定乱数の値が当り値であるか否かが判定され、大当り判定乱数が当り値であれば、続くステップＳ１５０５へと進む。
【０２３２】
ステップＳ１５０５では、更に大当り判定乱数が「大当り」であるか否かが判定され、「大当り」であると判定されるとステップＳ１５０６へと進み、大当りフラグをＯＮにする。また、大当り判定乱数が「大当り」でないと判定される、つまり、「短当り」と判定されるとステップＳ１５０７へと進み、短当りフラグをＯＮにする。なお、本例では、大当りフラグ、短当りフラグ、及び後述の小当りフラグは、何れか一つしかＯＮとはならないようになっている。
【０２３３】
そして、ステップＳ１５０６又はステップＳ１５０７の何れかにおいて、大当りフラグ又は短当りフラグの何れかがＯＮとされると、ステップＳ１５０８において、先の始動記憶移行処理において読み出された確率変更乱数が、確変値であるか否かが判定される。具体的には、確変判定テーブルを用いて、確率変更乱数が確変値であるか否かが判定され、
確変値であると判定されるとステップＳ１５０９へと進み、確変フラグをＯＮにして本ルーチンをリターンして終了する。なお、ステップＳ１５０９の段階で既に確変フラグがＯＮであれば、その状態が維持されるようになっている。
【０２３４】
一方、ステップＳ１５０８において、確率変更乱数が確変値でないと判定されるとステップＳ１５１０へと進み、更に大当りフラグがＯＮであるか否かが判定され、大当りフラグがＯＮであればステップＳ１５１１へと進み、確変フラグをＯＦＦにして本ルーチンをリターンして終了する。また、ステップＳ１５１０において、大当りフラグがＯＮでなければ、本ルーチンをリターンして終了すると共に、確変フラグはステップＳ１５１０に至った段階での状態が維持されるようになっている。
【０２３５】
一方、ステップＳ１５０４において、大当り判定乱数の値が当り値でないと判定されると、ステップＳ１５１２へと進み、小当り判定テーブルを選択し、続くステップＳ１５１３へと進む。このステップＳ１５１３では、先の小当り判定テーブルを用いて、小当り判定乱数の値が小当り値であるか否かが判定され、小当り値である、つまり、「小当り」であると判定されると、ステップＳ１５１４へと進み、小当りフラグをＯＮにして、本ルーチンをリターンして終了する。なお、ステップＳ１５１３において、小当り判定乱数の値が小当り値でないと判定される、つまり、「ハズレ」と判定されると、本ルーチンをリターンして終了する。
【０２３６】
このステップＳ１５０８〜ステップＳ１５１１の処理は、「大当り」や「短当り」の「当り」が抽選される抽選確率を変更するか否かを判定する処理であり、具体的には、抽選確率が通常時の確率の時に、「非確変大当り」が抽選されると通常時の確率を維持し、「確変大当り」又は「確変小当り」が抽選されると通常時よりも高確率に変更するように判定する。また、抽選確率が通常時よりも高確率の時に、「確変大当り」、又は「確変小当り」が抽選されると高確率の状態を維持し、「非確変大当り」が抽選されると高確率から通常時の確率に変更するように判定するものである。また、「小当り」や「ハズレ」の場合は、上記ステップＳの処理が行われないので、抽選確率は変更されず、現状の状態が維持されるようになっている。これにより、抽選確率が高確率の状態になると、「非確変大当り」が抽選されるまで、高確率の状態が維持されるので、遊技者に有利な有利遊技状態が連続して抽選される可能性を高くすることができ、より興趣の高められるものとなっている。
【０２３７】
因みに、本例では、例えば、確変状態時大当り判定テーブルでは、０〜９７９までの９８０個の大当り判定乱数のうち大当り判定乱数と一致することにより「大当り」または「短当り」と判定される大当り判定値が１４個設定され、「当り」が抽選される抽選確率が１／７０となっていると共に、非確変時大当り判定テーブルでは、０〜９７９までの９８０個の大当り判定乱数のうち大当り判定値が２個設定され、「当り」の抽選確率が１／４９０となっている。
【０２３８】
また、本例では、例えば、「小当り」が抽選される抽選確率は、１／５０とされており、「確変小当り」（「短当り」）、「確変大当り」、及び「非確変大当り」が抽選される確率よりも高い確率とされており、アタッカ装置２３０が「小当り」と同様の開閉動作をする「確変小当り」の抽選価値を高めることができるようになっている。
【０２３９】
更に、例えば、確変突入率（「当り」のうちの「確変大当り」と「確変小当り」の割合）が３／４となるように、すなわち、０〜７までの８個の確率変更乱数のうち高確率の状態とすることに決定される６個の判定値が確変判定テーブルに設定されている。具体的には、「確変大当り」の割合が５／８となり、「確変小当り」の割合が１／８となり、「非確変大当り」の割合が１／４となるように、判定値が確変判定テーブルに設定されている。
【０２４０】
図２２は、図１９の遊技処理におけるステップＳ１３０５の変動表示パターン設定処理の一例を示すフローチャートである。この変動表示パターン設定処理では、ステップＳ１６０１において、大当りフラグがＯＮであるか否かが判断され、大当りフラグがＯＮ、つまり、抽選結果が「確変大当り」又は「非確変大当り」であれば、ステップＳ１６０２へと進み、ＲＯＭ３１５に記憶されている大当り時変動表示パターンテーブルを選択する。
【０２４１】
一方、ステップＳ１６０１において、大当りフラグがＯＮでないと判断されると、ステップＳ１６０３へと進み、短当りフラグ又は小当りフラグがＯＮであるか否かが判断され、短当りフラグ又は小当りフラグがＯＮ、つまり、抽選結果が「確変小当り」又は「小当り」であれば、ステップＳ１６０４へと進み、ＲＯＭ３１５に記憶されている短当り時変動表示パターンテーブルを選択する。また、ステップＳ１６０３において、短当りフラグ又は小当りフラグがＯＮでない、つまり、抽選結果が「ハズレ」であれば、ステップＳ１６０５へと進み、ＲＯＭ３１５に記憶されているハズレ時変動表示パターンテーブルを選択する。
【０２４２】
そして、変動表示パターンテーブルが選択されると、ステップＳ１６０６において、変動表示パターン乱数を用いて先に選択された変動表示パターンテーブルから対応する変動表示パターンを決定し、続くステップＳ１６０７において、決定した変動表示パターンの変動表示パターンコマンドをセットしてステップＳ１６０８へと進む。このステップＳ１６０８では、ステップＳ１６０７において決定された変動表示パターンに応じた変動時間をタイマにセットする。
【０２４３】
ステップＳ１６０８において、変動時間がタイマにセットされると、続くステップＳ１６０９へと進み、短当りフラグ又は小当りフラグがＯＮであるか否かを判断し、短当りフラグ又は小当りフラグがＯＮであると判断されると、ステップＳ１６１０へと進み、ステップＳ１６０６において決定した変動表示パターンに応じた短当り実行時間を、ステップＳ１６０８においてセットされた変動時間とは別のタイマにセットし、ステップＳ１６１１へと進み、処理選択フラグを［２］に更新して、本ルーチンをリターンする。
【０２４４】
このステップＳ１６１０においてセットされる短当り実行時間は、ステップＳ１６０８においてセットされる変動時間よりも短い時間である。これにより、後述する変動中処理において、特別図柄等の演出画像の変動時間中に、「短当り」や「小当り」を実行（開閉部材２３１の開閉動作）させることができるので、遊技者を変動表示中の演出画像に注目させて、「短当り」（「確変小当り」）や「小当り」の実行に気づき難くすることが可能となり、特に「確変小当り」の場合、開閉部材２３１の開閉動作に気付かずに、高確率の状態となるので、突然、確変状態となったように思わせることができ、得した気分にさせて興趣を高められるようになっている。
【０２４５】
一方、ステップＳ１６０９において、短当りフラグ又は小当りフラグがＯＮでないと判断されると、ステップＳ１６１１へと進み、処理選択フラグを［２］に更新して、本ルーチンをリターンする。そして、本ルーチンがリターンされると、決定された変動表示パターンに基づいて、特別図柄表示器３２５の特別図柄や、演出表示装置２１１における普通図柄等の演出画像の変動表示が開始される。
【０２４６】
図２３は、上述の変動中処理（ステップＳ１３０６）の一例を示すフローチャートである。まず、ステップＳ１７０１では、特別図柄表示器３２５において変動表示されている特別図柄の変動時間がタイムアップしたか否かが判断され、変動時間がタイムアップしていれば、ステップＳ１７０２へと進み、更に、大当りフラグがＯＮであるか否かが判断される。このステップＳ１７０２において、大当りフラグがＯＮであると判断されると、ステップＳ１７０３へと進み、処理選択フラグを［３］に更新し、抽選結果が「大当り」を示唆する特別図柄が停止表示されて、図１９に示す遊技処理において大当り遊技開始処理がおこなわれる。
【０２４７】
一方、ステップＳ１７０１において、変動時間がタイムアップしていないと判断されると、ステップＳ１７０４へと進み、短当りフラグ又は小当りフラグがＯＮであるか否かが判断される。このステップＳ１７０４において、短当りフラグ又は小当りフラグがＯＮでない、即ち、変動時間がタイムアップする前で、抽選結果が「大当り」又は「ハズレ」であると判断されると、本ルーチンをリターンする。
【０２４８】
また、ステップＳ１７０４において、短当りフラグ又は小当りフラグがＯＮであると判断されると、続くステップＳ１７０５において、短当り実行時間がタイムアップしたか否かを判断し、短当り実行時間がタイムアップしていないと判断されると本ルーチンをリターンし、短当り実行時間がタイムアップしたと判断されると、ステップＳ１７０６へと進む。このステップＳ１７０６では、短当りフラグがＯＮであるか否かを判断し、短当りフラグがＯＮであれば、ステップＳ１７０３へと進み、処理選択フラグを［３］に更新して本ルーチンをリターンする。一方、ステップＳ１７０６において、短当りフラグがＯＮでないと判断される、つまり、「小当り」であると判断されると、ステップＳ１７０７へと進み、処理選択フラグを［５］に更新して、本ルーチンをリターンする。
【０２４９】
ところで、変動時間がタイムアップした後に、ステップＳ１７０２において、大当りフラグがＯＮでないと判断されると、ステップＳ１７０８へと進み、処理選択フラグを［０］に更新して、本ルーチンをリターンする。その際に、図２２に示した変動表示パターン設定処理で決定された変動表示パターンに応じた「ハズレ」を示唆する特別図柄が停止表示される。
【０２５０】
なお、この変動中処理では、抽選結果が「短当り」（「確変小当り」）又は「小当り」であると、変動時間がタイムアップする前に、短当り実行時間がタイムアップして、処理選択フラグが［３］又は［５］に更新されて、図１９に示す遊技処理において、大当り遊技開始処理又は小当り遊技処理が実行される。つまり、抽選結果が「確変小当り」又は「小当り」の時には、演出画像が変動表示中に、大当り遊技開始処理又は小当り遊技処理がかいしされるようになっている。
【０２５１】
また、この変動中処理では、短当りフラグ又は小当りフラグがＯＮの場合、変動時間中に後述の大当り遊技開始処理及び大当り遊技中処理、又は小当り遊技処理が行われて、短当りフラグ又は小当りフラグがＯＦＦとされた後に、再び変動中処理に戻って、変動時間がタイムアップするのを待つようになっている。
【０２５２】
図２４は、図１９に示したステップＳ１３０７の大当り遊技開始処理の一例を示すフローチャートである。この大当り遊技開始処理は、第一始動口２１４又は第二始動口２１５への遊技球の入賞により発生する大当り判定乱数に基づく抽選結果が「大当り」又は「短当り」の場合に開始される処理である。まず、ステップＳ１８０１では、大当りフラグ、短当りフラグ等のＯＮとなっているフラグに応じたアタッカ装置２３０における開閉部材２３１の開閉回数を初期値にセットする。具体的には、抽選結果が「大当り」の場合は、継続回数判定乱数によって、その開閉回数が設定され、本例では、例えば、７回、又は１５回の何れかから設定される。また、抽選結果が「短当り」の場合は、開閉回数が２回に設定され、初期値としてセットされる。
【０２５３】
ステップＳ１８０１において、所定の開閉回数が初期値にセットされると、続くステップＳ１８０２では、上記と同様にＯＮとなっているフラグに応じて、アタッカ装置２３０における開閉部材２３１の開放時間を初期値にセットする。具体的には、例えば、抽選結果が「大当り」の時は開放時間に３０秒が、抽選結果が「短当り」の時は開放時間が０．１〜２秒が、初期値にセットされる。
【０２５４】
そして、ステップＳ１８０２において、所定の開放時間が初期値にセットされると、ステップＳ１８０３へと進み、処理選択フラグを［４］に更新し、本ルーチンをリターンして、大当り遊技中処理を開始する。
【０２５５】
図２５は、図１９に示した遊技処理におけるステップＳ１３０８の大当り遊技中処理の一例を示すフローチャートである。図示は省略するが、まず、アタッカ装置２３０における開閉部材２３１の開閉回数をカウントする開閉回数カウンタがリセットされる（本例では、開閉回数カウンタの値を「１」にする）。そして、大当り遊技の進行に伴って、この開閉回数カウンタの値が増加し、上述の大当り遊技開始処理でセットされた開閉回数の初期値に達すると大当り処理が終了するようになっている。
【０２５６】
本例の大当り遊技中処理では、まず、ステップＳ１９０１において、所定の入賞球数カウンタに「０」がセットされ、続くステップＳ１９０２において、上述の大当り遊技開始処理で初期値にセットされた開放時間を、タイマにセットする。具体的には、抽選結果が「大当り」であれば開放時間として約３０秒がタイマにセットされ、抽選結果が「短当り」であれば開放時間として約０．１〜２秒がタイマにセットされる。そして、開放時間がタイマにセットされると、続くステップＳ１９０３では、アタッカソレノイド３２４を駆動させて、アタッカ装置２３０の開閉部材２３１を開状態として大入賞口２３５を開放して、次のステップＳ１９０４へと進む。
【０２５７】
ステップＳ１９０４では、開放時間がタイムアップしたか否かが判断され、開放時間がタイムアップしていないと判断されると、次のステップＳ１９０５において大入賞口２３５への遊技球の入賞球数をカウントする入賞球数カウンタの値が１０未満であるか否かが判断される。このステップＳ１９０５で入賞球カウンタの値が１０に満たないと判断されると、次のステップＳ１９０６において、大入賞口２３５に対応するカウントセンサ３１９の検出信号がＯＮになったか否かが判断される。
【０２５８】
このステップＳ１９０６において、大入賞口２３５への遊技球の入賞によりカウントセンサ３１９がＯＮとなると、カウントセンサ３１９がＯＮと判断されて、続くステップＳ１９０７へ進み、入賞球数カウンタに「１」を加算して、ステップＳ１９０４へと戻る。一方、ステップＳ１９０６で、大入賞口２３５への遊技球の入賞がないことにより、カウントセンサ３１９がＯＮでないと判断されると、入賞球数カウンタが加算されることなくステップＳ１９０４へと戻るようになっている。
【０２５９】
そして、ステップＳ１９０４〜ステップＳ１９０７の処理は、開放時間がタイムアップ（ステップＳ１９０４）するか、入賞球数カウンタの値が１０に達する（ステップＳ１９０５）かすると、ステップＳ１９０８へと進み、大入賞口２３５を閉状態にする。このステップＳ１９０８において、大入賞口２３５が閉鎖されると、続くステップＳ１９０９において、開閉回数カウンタの値が、大当り遊技開始処理でセットされた開閉回数の初期値に達したか否かが判断され、初期値に達していないと判断されると、ステップＳ１９１０へと進み、開閉回数カウンタに「１」を加算してステップＳ１９０１へと戻る。
【０２６０】
そして、開閉回数カウンタが、セットされた開閉回数の初期値に達するまで、上述のステップＳ１９０１〜ステップＳ１９１０までの処理が繰り返される。また、本例では、上述のステップＳ１９０１〜ステップＳ１９１０までの処理を１ラウンドとして、大当り遊技は、継続回数判定乱数に応じて、複数回のラウンドが繰り返されるようになっている。
【０２６１】
なお、大入賞口２３５が開状態となる１回のラウンドでは、最大１０個の遊技球を入賞させることができ、大入賞口２３５に遊技球が入賞することで、球払出装置１２５によって１４個の遊技球が払い出されるので、１ラウンドで最大１４０個の遊技球を払い出すことができ、抽選結果が「大当り」の時に上述の遊技球の払い出しを期待することができるので、「大当り」が抽選されることで、遊技者の興趣が高められるようになっている。
【０２６２】
これに対して、抽選結果が「短当り」の場合は、「大当り」の場合と比較してセットされる開放時間が約０．１〜２秒と短く、更に開閉回数が２回と少ないので、アタッカ装置２３０の開閉部材２３１の開閉動作は、短時間にパカパカと開閉して終了してしまうので、その開閉動作が気付き難くなると共に、開閉部材２３１が開状態の時に大入賞口２３５に入賞させられる遊技球の数が少なく、多くの遊技球の払い出しは期待できないようになっている。
【０２６３】
一方、ステップＳ１９０９において、開閉回数カウンタが初期値の開閉回数に達したと判断されると、ステップＳ１９１１へと進み、短当りフラグがＯＮであるか否かが判断され、短当りフラグがＯＮでないと判断されると、つまり、抽選結果が「大当り」の場合、ステップＳ１９１２へと進み、大当りフラグをＯＦＦにし、次のステップＳ１９１３では処理選択フラグを［０］に更新して、本ルーチンをリターンして大当り遊技中処理を終了する。
【０２６４】
また、ステップＳ１９１１において、短当りフラグがＯＮであると判断されると、次のステップＳ１９１４に進み、短当りフラグをＯＦＦにし、続くステップＳ１９１５では処理選択フラグを［２］に変更して、本ルーチンをリターンして大当り遊技中処理を終了する。そして、ステップＳ１９１５において、処理選択フラグが［２］とされることで、遊技処理の変動中処理へと戻り、変動時間がタイムアップするまで変動中処理が実行される。その後、変動時間がタイムアップすると、大当りフラグがＯＦＦとなっているので、処理選択フラグを［０］に更新して、変動中処理をリターンする。その際に、変動時間のタイムアップにより、変動表示されている特別図柄が「確変小当り」かも知れないことを示唆するように停止表示される。
【０２６５】
なお、図示は省略するが、短当りフラグがＯＮの時、つまり、抽選結果が「確変小当り」の時に、上述の大当り遊技開始処理又は大当り遊技中処理が開始されると、振分装置２４０における振分駆動手段２４４を駆動させて、アタッカ装置２３０の大入賞口２３５に入賞した遊技球を、特別流路に振り分けられるようにしており、アタッカ装置２３０の開閉部材２３１が開状態となった時に、大入賞口２３５に遊技球を入賞させると、第一受入口２６４に遊技球が受入れられる割合が高くなっているので、第一受入口２６４に遊技球が受入れられることで、あたかも第一受入口への入球によって、高確率（確変）になったように錯覚させることができるようになっている。
【０２６６】
図２６は、図１９に示した遊技処理におけるステップＳ１３０９の小当り遊技処理の一例を示すフローチャートである。この小当り遊技処理は、アタッカ装置２３０の開閉部材２３１の開閉動作が、「確変小当り」が抽選された時に実行される大当り遊技におけるアタッカ装置２３０の開閉部材２３１の開閉動作と同様の動作をさせる処理である。まず、ステップＳ２００１において、アタッカ装置２３０における開閉部材２３１の開閉回数を初期値にセットする。具体的には、開閉回数は「短当り」と同じ回数（例えば、２回）が初期値としてセットされる。
【０２６７】
ステップＳ２００１において「短当り」と同じ所定の開閉回数が初期値にセットされると、続くステップＳ２００２では、開閉部材２３１の開放時間を初期値にセットする。この開放時間も「短当り」の時にセットされる開放時間と同じ時間（例えば、０．１〜２秒）がセットされる。これにより、「小当り」によるアタッカ装置２３０における開閉部材２３１の開放動作が、「短当り」の時の開放動作と同じ動作をするようにしている。そして、ステップＳ２００２において、「短当り」と同じ所定の開放時間がセットされると、ステップＳ２００３へと進み、開閉回数カウンタに「１」をセットして、次のステップＳ２００４へと進む。
【０２６８】
ステップＳ２００４では、ステップＳ２００２において設定された初期値の開放時間をタイマにセットし、続くステップＳ２００５では、アタッカソレノイド３２４を駆動させて、アタッカ装置２３０の開閉部材２３１を開状態として大入賞口２３５を開放して、次のステップＳ２００６へと進む。このステップＳ２００６では、ステップＳ２００４でセットされた開放時間がタイムアップしたか否かを判断し、タイムアップしていなければタイムアップするまでステップＳ２００６をループし、開放時間がタイムアップすると、続くステップＳ２００７で、アタッカソレノイド３２４の駆動を停止して開閉部材２３１を閉状態として大入賞口２３５を閉鎖する。なお、本例では、セットされる開放時間が短いため、開放された大入賞口２３５に遊技球が殆んど入賞しないようになっている。
【０２６９】
ステップＳ２００７で大入賞口２３５が閉鎖されると、続くステップＳ２００８では、開閉回数カウンタの値がステップＳ２００１においてセットされた初期値の開閉回数に達したか否かが判断され、初期値に達していないと判断されると、ステップＳ２００９へと進み、開閉回数カウンタに「１」を加算してステップＳ２００４へと戻る。
【０２７０】
そして、開閉回数カウンタが、セットされた開閉回数の初期値に達するまで、上述のステップＳ２００４〜ステップＳ２００９までの処理が繰り返される。なお、本例では、セットされる初期値の開閉回数が、「短当り」と同じ開閉回数とされているので、開閉回数が少なく、開放時間も少ないので、アタッカ装置２３０における開閉部材２３１の開閉動作が、「短当り」と同じく、短時間にパカパカと開閉して終了するようになっている。
【０２７１】
一方、ステップＳ２００８において、開閉回数カウンタが初期値の開閉回数に達したと判断されると、ステップＳ２０１０へと進み、小当りフラグをＯＦＦにし、次のステップＳ２０１１では処理選択フラグを［２］に更新して本ルーチンをリターンする。そして、処理選択フラグが［２］に更新されているので、図２３に示した変動中処理へと戻り、変動時間がタイムアップするまで変動中処理が実行される。その後、変動時間がタイムアップすると、大当りフラグがＯＦＦとなっているので、処理選択フラグを［０］に更新して、変動中処理をリターンする。その際に、変動時間のタイムアップにより、変動表示されている特別図柄が「確変小当り」かも知れないことを示唆するように停止表示される。
【０２７２】
なお、図示は省略するが、上述の小当り遊技処理が開始されても、「短当り」の時とは異なって、振分装置２４０における振分駆動手段２４４が駆動されないので、アタッカ装置２３０の大入賞口２３５に入賞した遊技球は、第一跳躍流路、第二跳躍流路、及び特別流路の何れかの流路に略均等に振り分けられようになっており、各流路に対応した遊技球の動きを楽しませることができるようになっている。
【０２７３】
これらにより、「確変小当り」や「小当り」が抽選されると、図柄等からなる演出画像が変動表示中にアタッカ装置２３０の開閉部材２３１が数回パカパカと開閉動作するが、変動する演出画像に気を取られてアタッカ装置２３０の開閉に気付き難くすることができ、特に、抽選結果が「確変小当り」の場合、その後の抽選確率が高確率に変更されるので、突然、高確率（確変）になったように錯覚させることができるようになっている。
【０２７４】
また、演出画像の変動表示中にアタッカ装置２３０の開閉部材２３１が数回開閉動作した時に、遊技球を大入賞口２３５に入賞させて、第一受入口２６４に受入れられると抽選確率が通常時の確率よりも高確率に変更されるような遊技球による演出を行っているので、演出画像の変動表示中にアタッカ装置２３０の開閉部材２３１が数回開閉動作した時に大入賞口２３５に入賞した遊技球が、第一受入口２６４に受入れられるか否かで遊技者をハラハラ、ドキドキさせることができ、実際には遊技状態の制御に関わらない遊技球（死球）を用いて、興趣が高められるようになっている。
【０２７５】
このように、本実施形態のパチンコ機１によると、遊技球が第一始動口２１４又は第二始動口２１５に受入れられると所定の抽選が行われ、抽選結果が当り条件を充足すると共に確変条件によって、「確変小当り」、「確変大当り」、及び「非確変大当り」の何れかの大当り遊技が行われ、当り条件を充足せずに開条件を充足すると「小当り」が抽選され小当り遊技が行われる。その際に、「確変小当り」又は「小当り」が抽選された場合は演出画像の変動表示中にアタッカ装置２３０の開閉部材２３１が開閉動作して、「確変大当り」又は「非確変大当り」が抽選された場合は演出画像の変動停止表示後に開閉部材２３１が開閉動作する。また、「確変小当り」又は「確変大当り」が抽選されると、開閉部材２３１の開閉動作後に、抽選確率を通常時よりも高確率に変更し、「非確変大当り」が抽選されるまで高確率の状態が維持される。一方、「確変小当り」又は「小当り」が抽選されると、何れも演出画像の変動表示中にアタッカ装置２３０の開閉部材２３１の開閉回数が少ない同様の開閉動作をし、その際に大入賞口２３５に受入れられた遊技球を流通空間２２１内へ進入させると、その抽選結果が「確変小当り」であれば、第一跳躍流路、第二跳躍流路、及び特別流路のうち、第一受入口に遊技媒体が受入れられる割合が最も高い特別流路に遊技球を誘導した後に、遊技球が流通空間２２１から排出されると、抽選確率を高確率に変更するものである。
【０２７６】
これにより、遊技球の始動入賞により、「確変小当り」が抽選されると、アタッカ装置２３０の開閉部材２３１の開閉動作の際に大入賞口２３５に受入れられた遊技球が、役物２１０における流通空間２２１内の第一受入口２６４に受入れられるような流路に誘導されるので、あたかも遊技球が第一受入口２６４に受入れられたことで、抽選確率が高確率に変更されたように思わせることができ、従来のような「確変小当り」である可能性が高いことを示唆する演出画像を用いたものと比較して遊技球が第一受入口２６４に受入れられるのを直接見せるので、確実に「確変小当り」であると遊技者に認識させることができ、物理的な安心感を与えて、興趣が低下するのを抑制することができる。
【０２７７】
また、「確変小当り」や「小当り」の抽選によるアタッカ装置２３０における開閉部材２３１の開閉動作の際に、遊技球が大入賞口２３５に受入れられると、役物２１０内の流通空間２２１内に進入し振分装置２４０を介して、運動エネルギーの付与された遊技球が、第一跳躍装置２５０ａによる跳躍で第一受入口２６４を有した第一ステージ２６１を飛び越してから第二跳躍装置２５０ｂで再度跳躍して第一ステージ２６１の捕捉転動面２６３に捕捉される第一跳躍流路、遊技球が第一ステージ２６１を飛び越さずに第三跳躍装置２５０ｃで跳躍して第一ステージ２６１の捕捉転動面２６３に捕捉される第二跳躍流路、及び跳躍装置２５０では跳躍せずに第一ステージ２６１の捕捉転動面２６３に直接捕捉される特別流路の何れかの流路を流通するので、遊技球が何れの流路に誘導されても、跳躍したり落下したりするこれまでにない躍動感に溢れたダイナミックな動きを見せることができ、遊技者を充分に楽しませた後に、第一受入口に受入れられるか否かで、ワクワク、ドキドキさせて興趣の高められるものとすることができる。
【０２７８】
また、大入賞口２３５に入賞した遊技球が、振分装置２４０で、第一跳躍流路に振り分けられると、初めに遊技球を第一ステージ２６１に供給し損ねたように思わせてから第一ステージ２６１に供給するので、遊技者をよりハラハラ、ドキドキさせることが可能となり、一喜一憂させて興趣がより高められるようにすることができる。また、第二跳躍流路に振り分けられると、ミニステージ２７０において一旦遊技球の動きが遅くなってから跳躍するので緩急に富んだ動きとなり興趣が低下するのを抑制することができる。このように、上記の第一跳躍流路、及び第二跳躍流路に振り分けられると、遊技球が跳躍するので、躍動感に溢れたこれまでにない遊技球の動きを見せることで、遊技者を楽しませて興趣を高められるようにすることができる。更に、特別流路に振り分けられると、遊技球が跳躍せずに直接第一ステージ２６１に落下供給され、これまでにない大きな動きをすると共に、遊技球が一気に第一ステージ２６１へと供給されることで、いきなりチャンスが到来したような感覚を持たせることが可能となり、より興趣の高められるものとすることができる。
【０２７９】
更に、振分装置２４０によって、第一跳躍流路、第二跳躍流路、及び特別流路の何れかの流路に遊技球が誘導されるので、何れの流路に誘導されるかで、遊技者をワクワク、ドキドキさせることができると共に、抽選確率を変更すると判定されると、遊技球が第一受入口２６４に受入れられる割合の最も高い特別流路に誘導されるので、特別流路に誘導されるか否かによっても、期待感を持たせることができ、興趣を高められるものとすることができる。
【０２８０】
また、遊技者は「確変小当り」が抽選されて抽選確率が高確率に変更されることを強く望み、第一受入口２６４に遊技球が受入れられると抽選確率が変更されるような遊技球による演出をしているので、第一受入口２６４に受入れられるのを期待させることができ、第一受入口２６４に受入れられるか否かで、ハラハラ、ドキドキさせることが可能となり、遊技球が何れの流路を流通しても興趣を高めることができる。
【０２８１】
また、「確変小当り」又は「確変大当り」が抽選されると、抽選確率が通常時の確率よりも高確率に変更され、「非確変大当り」が抽選されるまで、高確率の状態を維持させることができるので、「当り」が抽選される確率の高い状態が続き、連続して「大当り」が抽選される可能性が高くなり、より興趣を高められるものとすることができる。また、高確率の状態で「確変小当り」や「小当り」が抽選されても、通常時の確率に変更せずに高確率の状態が維持されるので、「小当り」等の抽選によって興趣が低下するのを抑制することができる。
【０２８２】
更に、「確変小当り」や「小当り」が抽選された時は、図柄等の演出画像が変動表示中にアタッカ装置２３０の開閉部材２３１が所定の開閉動作をし、「確変大当り」や「非確変大当り」が抽選された時は、抽選結果を示唆する演出画像が停止表示されてからアタッカ装置２３０の開閉部材２３１が所定の開閉動作をするので、特に、「確変小当り」や「小当り」の時は、演出画像が変動表示されており、演出表示装置２１１に遊技者を注目させることができるので、アタッカ装置２３０の開閉部材２３１が開閉動作したことを気づき難くすることができ、特に「確変小当り」が抽選されると、予告無しに突然、抽選確率が変更されたように思わせることが可能となり、得した気分にさせて興趣を高められる効果を期待することができる。
【０２８３】
なお、「確変小当り」や「小当り」が抽選された時に、その抽選結果を示唆するために停止表示される演出画像を、「確変小当り」や「小当り」を示唆する表示とせずに、「ハズレ」を示唆する、或いは、「確変小当り」かも知れないことを示唆する表示としても良く、これにより、演出表示装置２１１による演出画像だけでは、抽選結果を確実に認識することができなくなり、遊技球の払い出しが期待できない「小当り」による興趣の低下を抑制することができると共に、アタッカ装置２３０の開閉部材２３１が開閉動作した際に大入賞口２３５へ遊技球を受入れさせることで、役物２１０内の流通空間２２１内での遊技球の振り分けに対する期待感を高めることができ、遊技球の動きを楽しませて興趣の高められるものとすることができる。
【０２８４】
また、演出表示装置２１１を流通空間２２１の後方に配置しているので、跳躍したり落下したりする遊技球により演出画像が遮られるような従来の遊技機では見られない遊技球の動きや演出画像を見せることが可能となり、飽き難くして遊技者の興趣が低下するのを防止することができる。また、遊技球が演出表示装置２１１の前面を通るので、遊技領域３７全体を使って遊技球を流下させることが可能となり、演出表示装置２１１の大きさに関わらず、より遊技者に目立つように遊技球に大きな動きをさせることができ、より興趣の高められる遊技球の動きを実現することができる。
【０２８５】
更に、第一ステージ２６１において遊技球が供給される際に、低反発性部材により形成された捕捉転動面２６３により遊技球の運動エネルギーが急激に減衰させられるので、供給される前の遊技球の速度と、供給された後の遊技球の速度とを大きく異なることができ、その速度差のギャップによってもこれまでにない遊技球の動きを実現させることができ、遊技者を楽しませて興趣を高められることかを期待することができる。
【０２８６】
そして、第一ステージ２６１に供給された遊技球は、その捕捉転動面２６３によって第一始動口２１４等に向かって案内されるので、案内された遊技球が第一始動口等に入賞するか否かで、遊技者をハラハラ、ドキドキさせて興趣を高めることができ、飽き難く興趣が低下するのを防止することのできるものとすることができる。
【０２８７】
また、演出表示装置２１１の上方に配置されたアタッカ装置２３０の大入賞口２３５に入賞した遊技球が、演出表示装置２１１の後ろ側を通ることなく排出されるので、パチンコ機１の厚みが厚くなるのを抑制することができ、而して、厚みの厚い大型の演出表示装置２１１を用いても、パチンコ機１の厚みが厚くなるのを抑制することができるので、演出画像の表示領域を広くすることが可能となり、演出画像に用いられる図柄やキャラクタ等を、より見易くしたり、より興趣の高められるような複雑（繊細）な動きをさせることができ、興趣が低下するのを抑制することができる。
【０２８８】
また、演出表示装置２１１の上方に大入賞口２３５を有したアタッカ装置２３０を配置しており、遊技球が打ち込まれる遊技領域の上部に近いので、遊技球の打ち込み操作により大入賞口２３０を狙い易くなり、大当り遊技（有利遊技状態）の際の遊技球の打ち込み操作による興趣をより高めることができると共に、演出表示装置２１１を大型化しても従来のパチンコ機のように演出表示装置の下方に配置されていないので、遊技球の大入賞口２３５への入賞が演出表示装置２１１の大きさに影響され難く、遊技球による興趣を低下させることなく演出表示装置２１１を大型化することができる。
【０２８９】
更に、演出表示装置２１１の上方に大入賞口２３５を有したアタッカ装置２３０を配置しているので、「大当り」等が抽選されて大当り遊技（有利遊技状態）となると、短時間に多くの遊技球が大入賞口２３５に入賞させられることとなるが、流通空間２２１が演出表示装置２１１の後端面よりも前方側に配置されていると共に、その幅が演出表示装置２１１の幅と略同じ幅としているので、流通空間２２１の容積を大きくすることができ、大量の遊技球が流通しても、その内部で遊技球が滞るのを防止することが可能となり、流通空間２２１内での球詰まりの発生を防止することができ、良好に大当り遊技を楽しませることができると共に、演出表示装置２１１の大型化による障害を可及的に少なくすることができ、障害により興趣が低下するのを抑制することのできる。
【０２９０】
また、大当り遊技中は遊技者の打ち込み操作が大入賞口２３５のみを狙う単純な操作となるので、遊技に対して余裕が生まれ、流通空間２２１内での遊技球の動きにも興味を抱かせることが可能となることから、流通空間２２１内で上記のような遊技球の動きによる演出を付与することができ、流通空間２２１内の遊技球に注目させると共に、その動きによる演出によって遊技者を楽しませて、興趣を高められるようにすることができる。
【０２９１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０２９２】
すなわち、上記の実施形態では、遊技機としてパチンコ遊技機１を示したが、パチンコ機以外の遊技機、例えば、スロットマシーンや、パチンコ機とスロットマシーンとを融合させてなる遊技機等であっても本発明を適用することができる。
【０２９３】
また、本実施形態では、役物２１０のコンセプトとしてゴルフをイメージしたものを示したが、例えば、野球、テニス、バスケットボール、バレーボール、等の球技の他に、格闘技、アドベンチャー映画やゲームのシーン等をイメージしたものでも良く、躍動感に溢れた遊技媒体の動きを見せることで、興趣が低下するのを抑制することができる。
【０２９４】
更に、本実施形態では、第一始動口２１４又は第二始動口２１５への遊技球の入賞により抽選される抽選結果が「確変小当り」の時に、役物２１０における振分装置２４０によって大入賞口２３５に受入れられた遊技球を、第一受入口２６４へ受入れられる割合が高い特別流路に振り分けるようにしたものを示したが、例えば、「確変大当り」が抽選された時にも、同様の振り分けをさせるようにしても良く、「確変大当り」が抽選された際にも、第一受入口２６４への遊技球の受入れによって高確率の状態が維持されような遊技とすることができ、上記と同様に興趣を高められる効果を期待することができる。
【０２９５】
また、本実施形態では、第一始動口２１４又は第二始動口２１５への遊技球の入賞により抽選される抽選結果が「確変小当り」や「小当り」の時に、その変動時間の終了後に、特別図柄や普通図柄等を含む演出画像によって、「小当り」を示唆する演出画像を停止表示させるものを示したが、例えば、「小当り」の際には、「小当り」であることを直接的に示唆するような演出画像の停止表示を廃止し、「ハズレ」を示唆する演出画像を停止表示させたり、「確変小当り」かも知れないような不明瞭な演出画像を停止表示させたりしても良く、これにより、遊技球の払い出しが少ない「小当り」が抽選されることによって損した気分になるのを緩和させることができると共に、「ハズレ」と思わせて実際は「確変小当り」だったと判明することでより得した気分にさせて興趣が低下するのを防止することができる。
【０２９６】
また、乱数発生手段４１１において、大当り判定乱数や確率変更判定乱数などと共に、小当り判定乱数を発生させるものを示したが、例えば、乱数発生手段４１１では小当り判定乱数を発生させず、当否判定手段４１２において抽選結果が「ハズレ」であると判定されると別途の乱数発生手段により小当り判定乱数などを発生させるようにしても良い、これによっても、上述と同様の作用効果を奏することができると共に、始動記憶格納処理の際に記憶される乱数の容量を少なくすることができ、処理にかかる負荷を軽減させて、遊技処理に及ぼす影響を少なくして、良好な遊技処理を行わせることができる。
【０２９７】
更に、本実施形態では、第一始動口２１４又は第二始動口２１５への遊技球の入賞により抽選される抽選結果が「確変小当り」の時に、役物２１０における振分装置２４０によって大入賞口２３５に受入れられた遊技球を、第一受入口２６４へ受入れられる割合が高い特別流路に振り分けるようにしたものを示したが、例えば、「大当り」が抽選されて有利遊技状態（大当り遊技）が発生する際に、演出表示装置２１１に表示される大当り遊技の継続回数（ラウンド数）が、実際の継続回数よりも少ない継続回数を表示させるようにし、大当り遊技の開始直前又は大当り遊技中に、大入賞口２３５に入賞した遊技球が振分装置２４０の振り分けにより第一受入口２６４に受入れられるようにして、第一受入口２６４に受入れさせた後に、継続回数の表示を実際の継続回数とするようにしても良く、従来の遊技機ような継続回数を増加させる演出を演出画像の演出表示で行うものと比較して、あたかも遊技球が第一受入口２６４に受入れられたことで、継続回数が増加したように見せることができ、内部的な処理ではなく遊技球の打ち込み操作によって得られたような気分にさせることが可能となり、より興趣が高められるのを期待することができる。
【符号の説明】
【０２９８】
１  パチンコ機
５  遊技盤
３７  遊技領域
９４  主制御基板
１２５  球払出装置（払出手段）
２１０  役物
２１１  演出表示装置（表示手段）
２１４  第一始動口（遊技媒体検出手段）
２１５  第二始動口（遊技媒体検出手段）
２２１  流通空間（排出流路、遊技媒体流通空間）
２３０  アタッカ装置
２３１  開閉部材（開閉手段）
２３５  大入賞口
２４０  振分装置（振分手段）
２４４  振分駆動手段
２５０  跳躍装置（跳躍手段）
２５０ａ  第一跳躍装置
２５０ｂ  第二跳躍装置
２５０ｃ  第三跳躍装置
２５３  誘導スロープ（運動エネルギー付与手段）
２６１  第一ステージ（捕捉手段）
２６３  捕捉転動面（捕捉手段、転動面）
２６４  第一受入口
２６５  第二受入口
２７０  ミニステージ（付与エネルギー調節手段）
３１０  主基板
３１１  周辺基板
３１８  始動口センサ（遊技媒体検出手段）
３２４  アタッカソレノイド
３３６  サブ統合基板
３３７  電飾制御基板１
３３８  電飾制御基板２
３３９  波形制御基板
４１１  乱数発生手段（抽選手段）
４１２  当否判定手段
４１３  特典選択手段
４１４  特典付与手段
４１５  確率変更判定手段
４１６  確率変更手段
４１７  開閉制御手段
４１９  小特典判定手段
４３２  演出表示制御手段
４３３  振分制御手段
【図１】
2011056303.tif 000003
【図２】
2011056303.tif 000004
【図３】
2011056303.tif 000005
【図４】
2011056303.tif 000006
【図５】
2011056303.tif 000007
【図６】
2011056303.tif 000008
【図７】
2011056303.tif 000009
【図８】
2011056303.tif 000010
【図９】
2011056303.tif 000011
【図１０】
2011056303.tif 000012
【図１１】
2011056303.tif 000013
【図１２】
2011056303.tif 000014
【図１３】
2011056303.tif 000015
【図１４】
2011056303.tif 000016
【図１５】
2011056303.tif 000017
【図１６】
2011056303.tif 000018
【図１７】
2011056303.tif 000019
【図１８】
2011056303.tif 000020
【図１９】
2011056303.tif 000021
【図２０】
2011056303.tif 000022
【図２１】
2011056303.tif 000023
【図２２】
2011056303.tif 000024
【図２３】
2011056303.tif 000025
【図２４】
2011056303.tif 000026
【図２５】
2011056303.tif 000027
【図２６】
2011056303.tif 000028
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域を介して遊技者から視認可能に配置され、図柄、キャラクタ、及び背景の少なくとも一つを用いた所定の演出画像を表示可能な表示手段と、
前記遊技領域内に打ち込まれた遊技媒体を受入可能な始動口と、
前記遊技領域に配置され、所定の開閉手段の動作によって遊技媒体の受け入れが容易化される大入賞口と、
前記始動口への遊技媒体の受け入れに基づいて所定の抽選を行う抽選手段と
を有し、該抽選手段による抽選にて所定の結果が得られた場合は遊技者に利益を付与可能な遊技機において、
前記抽選手段による抽選の結果には、当りと、はずれとが含まれており、
前記当りの当選確率を相対的に低く設定した第１遊技様態と、この第１遊技様態よりも前記当りの当選確率を相対的に高く設定した第２遊技様態との間での変更制御を、前記当りと、はずれとのうち、当りに当選されたことを条件に実行しうる当選確率変更手段と、
前記抽選手段による抽選の結果が前記当りのうちの第１当りである場合、前記当選確率変更手段による前記第２遊技様態への変更と、前記所定の開閉手段の動作による前記大入賞口での遊技媒体の受け入れの容易化により賞球を得る機会とを提供する第１の利益を遊技者に付与する第１利益付与手段と、
前記抽選手段による抽選の結果が前記当りのうちの第２当りである場合、前記当選確率変更手段による前記第２遊技様態への変更を行うとともに、前記所定の開閉手段を動作させるにもかかわらず、前記第１利益付与手段の場合よりも前記大入賞口での遊技媒体の受け入れが少なくなる態様で前記所定の開閉手段を動作させて賞球を得る機会を提供することにより、前記第１の利益よりも価値の低い第２の利益を遊技者に付与する第２利益付与手段と、
前記抽選手段による抽選の結果が前記はずれである場合であっても、特定の条件を満たしているときには小当りに当選されたとして、前記当選確率変更手段による遊技様態の変更が行われることがないにもかかわらず、前記大入賞口における前記所定の開閉手段の動作については前記第２利益付与手段と同様、前記第１利益付与手段の場合よりも前記大入賞口での遊技媒体の受け入れが少なくなる態様で前記所定の開閉手段を動作させて賞球を得る機会を提供する前記第２の利益とは異なる第３の利益を遊技者に付与する第３利益付与手段と、
前記大入賞口に受け入れられた遊技媒体については、前記抽選手段による所定の抽選に供されることのない遊技媒体として、前記表示手段の後端面よりも前方側を通って該表示手段の下方へ流下させることによりこれを排出する排出流路と
を具備するものであることを特徴とする遊技機。
【請求項２】
前記抽選手段は、前記始動口への遊技媒体の受け入れに基づいて取得される当落判定用乱数に基づいて前記所定の抽選を行うものである
請求項１に記載の遊技機。
【請求項３】
前記抽選手段は、前記始動口への遊技媒体の受け入れに基づいて取得される当落判定用乱数を一旦保留の状態にするとともに、所定の条件が成立されることによって前記保留の状態が解除された当落判定用乱数に基づいて前記所定の抽選を行うものである
請求項２に記載の遊技機。
【手続補正２】
【補正対象書類名】明細書
【補正対象項目名】０００５
【補正方法】変更
【補正の内容】
【０００５】
ところで、演出画像として表示手段に表示される図柄やキャラクタ等を、より見易くしたり、より興趣の高められるような複雑（繊細）な動きをさせるために、演出画像の表示領域を大きくすることが考えられる。つまり、より大型の表示手段を用いて演出画像を表示させることが考えられるが、表示手段が大型化されるときの障害となる問題を解決しておく必要がある。
【手続補正３】
【補正対象書類名】明細書
【補正対象項目名】０００６
【補正方法】変更
【補正の内容】
【０００６】
また、こうしたアタッカ装置これ自体の開閉動作の態様によっても、遊技者をワクワク、ドキドキさせることができ、ひいては遊技興趣が高められるようにすることが望まれている。
【手続補正４】
【補正対象書類名】明細書
【補正対象項目名】０００７
【補正方法】変更
【補正の内容】
【０００７】
このように、表示手段が大型化されるときの障害となる問題を解決した上で、こうして大型化された表示手段における演出だけでなく、アタッカ装置これ自体の開閉動作の態様によっても、遊技者をワクワク、ドキドキさせることができるような遊技機の開発が望まれていた。
【手続補正５】
【補正対象書類名】明細書
【補正対象項目名】０００８
【補正方法】変更
【補正の内容】
【０００８】
そこで、本発明は、上記の実情に鑑み、表示手段の大型化による障害を可及的に少なくするとともに、アタッカ装置これ自体の開閉動作の態様などにも斬新さを持たせることで興趣が低下するのを抑制することのできる遊技機の提供を課題とするものである。
【手続補正６】
【補正対象書類名】明細書
【補正対象項目名】０００９
【補正方法】変更
【補正の内容】
【０００９】
請求項１に記載の遊技機とは、遊技者の操作によって遊技媒体が打ち込まれる遊技領域と、前記遊技領域を介して遊技者から視認可能に配置され、図柄、キャラクタ、及び背景の少なくとも一つを用いた所定の演出画像を表示可能な表示手段と、前記遊技領域内に打ち込まれた遊技媒体を受入可能な始動口と、前記遊技領域に配置され、所定の開閉手段の動作によって遊技媒体の受け入れが容易化される大入賞口と、前記始動口への遊技媒体の受け入れに基づいて所定の抽選を行う抽選手段とを有し、該抽選手段による抽選にて所定の結果が得られた場合は遊技者に利益を付与可能な遊技機において、前記抽選手段による抽選の結果には、当りと、はずれとが含まれており、前記当りの当選確率を相対的に低く設定した第１遊技様態と、この第１遊技様態よりも前記当りの当選確率を相対的に高く設定した第２遊技様態との間での変更制御を、前記当りと、はずれとのうち、当りに当選されたことを条件に実行しうる当選確率変更手段と、前記抽選手段による抽選の結果が前記当りのうちの第１当りである場合、前記当選確率変更手段による前記第２遊技様態への変更と、前記所定の開閉手段の動作による前記大入賞口での遊技媒体の受け入れの容易化により賞球を得る機会とを提供する第１の利益を遊技者に付与する第１利益付与手段と、前記抽選手段による抽選の結果が前記当りのうちの第２当りである場合、前記当選確率変更手段による前記第２遊技様態への変更を行うとともに、前記所定の開閉手段を動作させるにもかかわらず、前記第１利益付与手段の場合よりも前記大入賞口での遊技媒体の受け入れが少なくなる態様で前記所定の開閉手段を動作させて賞球を得る機会を提供することにより、前記第１の利益よりも価値の低い第２の利益を遊技者に付与する第２利益付与手段と、前記抽選手段による抽選の結果が前記はずれである場合であっても、特定の条件を満たしているときには小当りに当選されたとして、前記当選確率変更手段による遊技様態の変更が行われることがないにもかかわらず、前記大入賞口における前記所定の開閉手段の動作については前記第２利益付与手段と同様、前記第１利益付与手段の場合よりも前記大入賞口での遊技媒体の受け入れが少なくなる態様で前記所定の開閉手段を動作させて賞球を得る機会を提供する前記第２の利益とは異なる第３の利益を遊技者に付与する第３利益付与手段と、前記大入賞口に受け入れられた遊技媒体については、前記抽選手段による所定の抽選に供されることのない遊技媒体として、前記表示手段の後端面よりも前方側を通って該表示手段の下方へ流下させることによりこれを排出する排出流路とを具備するものであることを特徴とするものである。
請求項２に記載の遊技機とは、請求項１に記載の遊技機において、前記抽選手段は、前記始動口への遊技媒体の受け入れに基づいて取得される当落判定用乱数に基づいて前記所定の抽選を行うものであることを特徴とするものである。
請求項３に記載の遊技機とは、請求項２に記載の遊技機において、前記抽選手段は、前記始動口への遊技媒体の受け入れに基づいて取得される当落判定用乱数を一旦保留の状態にするとともに、所定の条件が成立されることによって前記保留の状態が解除された当落判定用乱数に基づいて前記所定の抽選を行うものであることを特徴とするものである。
【手続補正７】
【補正対象書類名】明細書
【補正対象項目名】００１０
【補正方法】変更
【補正の内容】
【００１０】
手段１：遊技機において、
「遊技者の操作によって遊技媒体が打ち込まれる遊技領域と、
該遊技領域を介して遊技者から視認可能に配置され、図柄、キャラクタ、及び背景の少なくとも一つを用いた所定の演出画像を表示可能な表示手段と、
該表示手段の上方且つ前記遊技領域に配置され、遊技媒体が入賞可能な入賞口と、
該入賞口に入賞した遊技媒体を、遊技状態制御に関わらないように前記表示手段の後端面よりも前方側を通って該表示手段の下方へ流下させて排出する排出流路と
を具備する」ものであることを特徴とする。
ここで、「遊技領域を介して」とは、遊技機を正面視した時に、表示手段に表示された演出画像が遊技領域内と重なる位置に見えることである。